(57)【要約】【課題】  ユーザの所望の再生開始位置を選択させるためのサムネイルデータを生成する。【解決手段】  ステップＳ１７１でメタデータが取得され、ステップＳ１７２で、メタデータの番組ＩＤ情報に対応する録画データが検索されて取得される。ステップＳ１７３で、取得されたメタデータのタイムコードに含まれるそれぞれのテキストの開始時刻に対応する時刻の映像が録画データから１フレームずつ抽出されて、サムネイル画像とされる。ステップＳ１７４で、生成されたサムネイル画像に、対応するタイムコードおよびテキストデータが関連付けられて、サムネイルデータが生成され、ステップＳ１７５で、生成されたサムネイルデータから、番組ＩＤ情報で固有に区別可能なサムネイルデータファイルが生成される。ステップＳ１７６で、生成されたサムネイルデータファイルが記憶される。本発明は、ホームサーバに適用できる。【選択図】図１９
2005303742.tif 000002
【特許請求の範囲】
【請求項１】
第１の時刻情報が対応付けられた録画データを記憶する録画データ記憶手段と、
前記録画データの番組を区別するための区別情報、前記録画データに関するテキストデータ、および、前記テキストデータに対応する第２の時刻情報を含むメタデータを記憶するメタデータ記憶手段と、
前記録画データ記憶手段により記憶されている前記録画データと、前記メタデータ記憶手段により記憶されている前記メタデータを基に、サムネイル画像データ、前記テキストデータ、および、前記テキストデータに対応する前記第２の時刻情報で構成されるサムネイルデータを生成するサムネイルデータ生成手段と
を備え、
前記メタデータは、複数の前記テキストデータ、および、前記テキストデータに対応する前記第２の時刻情報を含み、
前記第２の時刻情報は、前記録画データ記憶手段により記憶されている前記録画データが表示され、複数の前記テキストデータが表示される場合の、それぞれの前記テキストデータの表示開始時刻を少なくとも含み、
前記サムネイルデータ生成手段は、複数の前記テキストデータそれぞれに対応する前記第２の時刻情報の前記表示開始時刻に基づいた所定の時刻の前記録画データの画像情報を抽出して、前記サムネイル画像データを生成する
ことを特徴とする情報処理装置。
【請求項２】
前記サムネイルデータ生成手段により生成された前記サムネイルデータのうちの少なくとも一部の表示を制御する表示制御手段を更に備える
ことを特徴とする請求項１に記載の情報処理装置。
【請求項３】
前記表示制御手段により表示が制御されている前記サムネイルデータに対応する表示画面を参照したユーザの操作入力を受ける操作入力手段と、
前記操作入力手段により入力された、前記表示制御手段により表示が制御されている前記サムネイルデータに対応する位置を再生開始位置として指定する操作入力を基に、前記録画データ記憶手段により記憶されている前記録画データから、前記サムネイルデータに含まれている前記第２の時刻情報に基づいて再生開始位置を検索し、検索された再生開始位置から開始される前記録画データを読み出す検索手段と
を更に備えることを特徴とする請求項２に記載の情報処理装置。
【請求項４】
前記表示制御手段は、
前記録画データ記憶手段により記憶されている前記録画データに対応する動画像の表示を更に制御するとともに、
前記動画像と、前記サムネイルデータ生成手段により生成された複数の前記サムネイルデータに含まれている前記サムネイル画像のうちの少なくとも１つ、および前記サムネイル画像に対応する前記テキストデータが、１画面中に表示されるように、前記サムネイルデータおよび前記動画像の表示を制御する
ことを特徴とする請求項２に記載の情報処理装置。
【請求項５】
前記表示制御手段は、前記サムネイルデータ生成手段により生成された複数の前記サムネイルデータに含まれている前記サムネイル画像が表示画面中に１つ表示され、前記サムネイル画像に対応する前記テキストデータが、前記サムネイル画像上に重畳されて表示されるように、前記サムネイルデータの表示を制御する
ことを特徴とする請求項２に記載の情報処理装置。
【請求項６】
前記表示制御手段は、前記サムネイルデータ生成手段により生成された複数の前記サムネイルデータに含まれている複数の前記サムネイル画像と、前記サムネイル画像に対応する前記テキストデータが、所定の配列で表示されるように、前記サムネイルデータの表示を制御する
ことを特徴とする請求項２に記載の情報処理装置。
【請求項７】
前記表示制御手段は、前記サムネイルデータ生成手段により生成された複数の前記サムネイルデータに含まれている複数の前記サムネイル画像が、所定の配列で表示されるように、前記サムネイルデータの表示を制御する
ことを特徴とする請求項２に記載の情報処理装置。
【請求項８】
前記表示制御手段は、前記サムネイルデータ生成手段により生成された複数の前記サムネイルデータに含まれている複数の前記テキストデータが、所定の配列で表示されるように、前記サムネイルデータの表示を制御する
ことを特徴とする請求項２に記載の情報処理装置。
【請求項９】
所定の記憶部に録画データを記憶可能な情報処理装置の情報処理方法において、
前記録画データの番組を区別するための区別情報、前記録画データに関するテキストデータ、および、前記テキストデータに対応する第２の時刻情報を含むメタデータの記憶を制御するメタデータ記憶制御ステップと、
前記録画データと、前記メタデータ記憶制御ステップの処理により記憶が制御されている前記メタデータを基に、サムネイル画像データ、前記テキストデータ、および、前記テキストデータに対応する前記第２の時刻情報で構成されるサムネイルデータを生成するサムネイルデータ生成ステップと
を含み、
前記メタデータは、複数の前記テキストデータ、および、前記テキストデータに対応する前記第２の時刻情報を含み、
前記第２の時刻情報は、前記所定の記憶部により記憶されている前記録画データが表示され、複数の前記テキストデータが表示される場合の、それぞれの前記テキストデータの表示開始時刻を少なくとも含み、
前記サムネイルデータ生成ステップの処理では、複数の前記テキストデータそれぞれに対応する前記第２の時刻情報の前記表示開始時刻に基づいた所定の時刻の前記録画データの画像情報が抽出されて、前記サムネイル画像データが生成される
ことを特徴とする情報処理方法。
【請求項１０】
サムネイルデータを生成する処理をコンピュータに実行させるためのプログラムであって、
前記録画データの番組を区別するための区別情報、前記録画データに関するテキストデータ、および、前記テキストデータに対応する第２の時刻情報を含むメタデータの記憶を制御するメタデータ記憶制御ステップと、
前記録画データと、前記メタデータ記憶制御ステップの処理により記憶が制御されている前記メタデータを基に、サムネイル画像データ、前記テキストデータ、および、前記テキストデータに対応する前記第２の時刻情報で構成される前記サムネイルデータを生成するサムネイルデータ生成ステップと
を含み、
前記メタデータは、複数の前記テキストデータ、および、前記テキストデータに対応する前記第２の時刻情報を含み、
前記第２の時刻情報は、所定の記憶部により記憶されている前記録画データが表示され、複数の前記テキストデータが表示される場合の、それぞれの前記テキストデータの表示開始時刻を少なくとも含み、
前記サムネイルデータ生成ステップの処理では、複数の前記テキストデータそれぞれに対応する前記第２の時刻情報の前記表示開始時刻に基づいた所定の時刻の前記録画データの画像情報が抽出されて、前記サムネイル画像データが生成される
ことを特徴とする処理をコンピュータに実行させるためのプログラム。
【請求項１１】
放送信号を取得して処理する第１の情報処理装置と、
サムネイルデータを生成する第２の情報処理装置と、
前記第２の情報処理装置で利用されるメタデータを生成する第３の情報処理装置と、
前記第２の情報処理装置に前記メタデータを復号する復号鍵を供給する第４の情報処理装置と
によって構成される情報処理システムにおいて、
前記第１の情報処理装置は、
前記放送信号を取得する第１の放送信号取得手段と、
前記放送信号の番組を固有に区別可能な区別情報を取得する第１の区別情報取得手段と、
前記第１の放送信号取得手段により取得された放送信号に、第１の時刻情報と、前記第１の区別情報取得手段により取得された区別情報とを対応つけて録画データを生成する録画データ生成手段と
を備え、
前記第２の情報処理装置は、
前記第１の時刻情報が対応付けられた前記録画データを記憶する録画データ記憶手段と、
暗号化された前記メタデータを取得するメタデータ取得手段と、
暗号化された前記メタデータを復号するために用いられる前記復号鍵を取得する復号鍵取得手段と、
前記メタデータ取得手段により取得された暗号化された前記メタデータを、前記復号鍵取得手段により取得された前記復号鍵を用いて復号する復号処理手段と、
前記復号処理手段により復号された、前記区別情報、前記録画データに関するテキストデータ、および、前記テキストデータに対応する第２の時刻情報を含む前記メタデータを記憶するメタデータ記憶手段と、
前記録画データ記憶手段により記憶されている前記録画データと、前記メタデータ記憶手段により記憶されている前記メタデータを基に、サムネイル画像データ、前記テキストデータ、および、前記テキストデータに対応する前記第２の時刻情報で構成される前記サムネイルデータを生成するサムネイルデータ生成手段と
を備え、
前記第３の情報処理装置は、
前記放送信号を取得する第２の放送信号取得手段と、
前記区別情報を取得する第２の区別情報取得手段と、
前記第２の放送信号取得手段により取得された前記放送信号から、ユーザにより表示するか否かを選択することが可能な字幕データを抽出してデコードする字幕データデコード手段と、
字前記幕データデコード手段によりデコードされた前記字幕データに対応するテキストデータにタイムコードを対応付けるタイムコード対応付け処理手段と、
前記タイムコード対応付け処理手段により前記タイムコードが対応付けられた前記テキストデータに、前記第２の区別情報取得手段により取得された前記区別情報を対応付けて、前記メタデータを生成するメタデータ生成手段と、
前記メタデータ生成手段により生成された前記メタデータを暗号化する暗号化手段と
を備え、
前記第４の情報処理装置は、
前記ユーザの登録情報を記憶する登録情報記憶手段と、
前記第２の情報処理装置から、前記ユーザの認証に関する情報を取得する認証情報取得手段と、
前記認証情報取得手段により取得された前記ユーザの認証に関する情報、および、前記登録情報記憶手段により記憶されている前記ユーザの前記登録情報を基に、認証処理を実行する認証処理手段と、
前記認証処理手段により前記ユーザが正しく認証された場合、前記第２の情報処理装置への、前記メタデータを復号する前記復号鍵の供給を制御する復号鍵供給制御手段と
を備えることを特徴とする情報処理システム。
【請求項１２】
前記第４の情報処理装置は、
前記復号鍵供給制御手段により前記復号鍵の供給が制御されたことに伴って発生する課金に関する情報を記憶する課金情報記憶手段と、
前記課金情報記憶手段により記憶された前記課金に関する情報を基に、前記ユーザに対する課金処理を実行する課金処理手段と
を更に備えることを特徴とする請求項１１に記載の情報処理システム。
【発明の詳細な説明】
【技術分野】
【０００１】
本発明は、情報処理装置および情報処理方法、プログラム、並びに、情報処理システムに関し、特に、放送信号に含まれている字幕情報を用いて、録画した放送番組に対応するサムネイルデータを生成することができる、情報処理装置および情報処理方法、プログラム、並びに、情報処理システムに関する。
【背景技術】
【０００２】
放送される番組のデータには、映像データと音声データが含まれている。また、番組データには、映像データとして必ず表示される、いわゆる字幕（番組の題名やキャストなどの紹介、または、海外の作品における日本語字幕）以外に、表示させるか否かを選択可能な字幕データが含まれる。このような選択可能な字幕データは、一般に、クローズドキャプションと称され、主に、聴覚障害者用に開発され、海外の作品における日本語字幕のように、出演者の会話だけではなく、例えば、ＢＧＭや効果音などの説明も含まれる。
【０００３】
例えば、NTSC方式のアナログの地上波放送では、映像信号に525本の走査線が用いられており、この525本のうち、各フィールド(２フィールドで１フレームを構成)の最初の２１本相当は、VBI（Vertical Blanking Interval：垂直帰線消去期間）と称される、走査を開始するためのインターバル用に割り当てられている。クローズドキャプションは、各フィールドのVBIのうち、VBIの２１本目に７ｂitの文字コードを多重化することによって伝送されるようになされており、各フィールドを使って２種類の文字セットを毎秒約60文字伝送することができるようになされている。
【０００４】
また、デジタルテレビ放送の字幕情報の伝送については、国内規定であるＢＳデジタル放送運用規定・技術資料（ＡＲＩＢ ＴＲ−Ｂ１５）で規定されているように、字幕情報用のトランスポートストリームを使って映像情報の伝送と同時に字幕情報を伝送できるようになされている。そして、デジタルテレビ放送用受信機において、字幕情報に対応する符号がデコードされ、字幕を構成する文字、図形が生成されて、映像に重畳されて表示されるようになされている。
【０００５】
デジタルテレビ放送において、字幕情報用のトランスポートストリームを使って映像情報の伝送と同時に伝送されたテキスト情報を、内部に保存したり、内部に保存したテキスト情報をテレビモニタでいつでも表示閲覧することができるようにすることにより、ユーザが、表示された字幕のメモを取らなくても、字幕の情報を活用することができるようにした技術がある（例えば、特許文献１）。
【０００６】
【特許文献１】特開２００３−７８８８９号公報
【０００７】
また、視聴者の操作、または、受信した字幕放送により、自動的にＣＭ番組、文字情報、または、通信データを保存し、視聴者が保存された情報を利用して、放送局あるいはＣＭ提供者に通信することにより、ＣＭ商品の購入を行うことができるようにした技術がある（例えば、特許文献２）。
【０００８】
【特許文献２】特開２００２−７７８７２号公報
【０００９】
なお、放送信号中の映像データと音声データとには、例えば、放送時にリアルタイムで視聴される以外に、録画されて再生された場合において時間軸がずれてしまうことがないように、例えば、それぞれが対応するようなリンク情報を有しているか、相対時刻のタイムスタンプを有するようになされている。これに対して、字幕データは、映像データまたは音声データに対するリンクデータや、相対時刻のタイムスタンプなどを有していない。
【発明の開示】
【発明が解決しようとする課題】
【００１０】
上述したように、放送される字幕データは、さまざまなサービスに利用され始めている。
【００１１】
しかしながら、クローズドキャプションなどの放送される字幕データを、録画された番組を検索することに利用しようとした場合、字幕データと映像データまたは音声データとには、アナログ放送またはデジタル放送のいずれにおいても、両者を対応させるようなタイムスタンプが付加されていないため、映像データからクローズドキャプションに対応するテキストデータを分離してしまった後、分離されたテキストと映像データとの対応をとることは不可能であり、したがって、クローズドキャプションから取得されるテキストを録画データの検索に利用することはできなかった。
【００１２】
また、いわゆる検索処理を実行するためには、ユーザが、検索キーとなるテキストデータを入力する必要がある。しかしながら、キーボードやボタンなどを用いたテキストデータの入力は、例えば、高齢者や子供には困難であり、ユーザが、より簡単に直感的に、所望するシーンを検索するためのユーザインターフェースが求められている。
【００１３】
更に、録画された放送番組の大まかな内容を、ユーザが、より簡単に直感的に、短い時間で理解することができるような情報を生成し、ユーザに対して提供するための技術が求められている。
【００１４】
また、クローズドキャプションなど、聴覚障害者向けの字幕データは全ての放送信号に添付させることが求められている。しかしながら、このような字幕データは、通常、健常者には必要ではないため、字幕データ作成に必要な費用を捻出するためにスポンサーがつく可能性はほぼなく、作成にかかる費用を放送局が負担しているのが現状である。したがって、聴覚障害者にとって不利益であるにもかかわらず、クローズドキャプションなど、聴覚障害者向けの字幕データが放送信号に添付されている割合は低迷したままであり、問題となっている。ここで、これらの字幕データを２次的に利用することにより、字幕データ作成に対する放送局への対価を回収することが可能なシステムが構築されることは、産業の発展に貢献可能であるのみならず、字幕データが放送信号に添付される割合を向上することにつながるため、聴覚障害者にとっても有益である。
【００１５】
本発明はこのような状況に鑑みてなされたものであり、いわゆるクローズドキャプションなどの字幕データを利用して、例えば、ユーザが検索処理を簡単に実行したり、ユーザに対して録画された放送番組の大まかな内容をユーザが直感的に理解することができるような情報を提供するために利用することができるサムネイルデータを生成することができるようにするものである。
【課題を解決するための手段】
【００１６】
本発明の情報処理装置は、第１の時刻情報が対応付けられた録画データを記憶する録画データ記憶手段と、録画データの番組を区別するための区別情報、録画データに関するテキストデータ、および、テキストデータに対応する第２の時刻情報を含むメタデータを記憶するメタデータ記憶手段と、録画データ記憶手段により記憶されている録画データと、メタデータ記憶手段により記憶されているメタデータを基に、サムネイル画像データ、テキストデータ、および、テキストデータに対応する第２の時刻情報で構成されるサムネイルデータを生成するサムネイルデータ生成手段とを備え、メタデータは、複数のテキストデータ、および、テキストデータに対応する第２の時刻情報を含み、第２の時刻情報は、録画データ記憶手段により記憶されている録画データが表示され、複数のテキストデータが表示される場合の、それぞれのテキストデータの表示開始時刻を少なくとも含み、サムネイルデータ生成手段は、複数のテキストデータそれぞれに対応する第２の時刻情報の表示開始時刻に基づいた所定の時刻の録画データの画像情報を抽出して、サムネイル画像データを生成することを特徴とする。
【００１７】
サムネイルデータ生成手段により生成されたサムネイルデータのうちの少なくとも一部の表示を制御する表示制御手段を更に設けさせるようにすることができる。
【００１８】
表示制御手段により表示が制御されているサムネイルデータに対応する表示画面を参照したユーザの操作入力を受ける操作入力手段と、操作入力手段により入力された、表示制御手段により表示が制御されているサムネイルデータに対応する位置を再生開始位置として指定する操作入力を基に、録画データ記憶手段により記憶されている録画データから、サムネイルデータに含まれている第２の時刻情報に基づいて再生開始位置を検索し、検索された再生開始位置から開始される録画データを読み出す検索手段とを更に設けさせるようにすることができる。
【００１９】
表示制御手段には、録画データ記憶手段により記憶されている録画データに対応する動画像の表示を更に制御させるようにするとともに、動画像と、サムネイルデータ生成手段により生成された複数のサムネイルデータに含まれているサムネイル画像のうちの少なくとも１つ、およびサムネイル画像に対応するテキストデータが、１画面中に表示されるように、サムネイルデータおよび動画像の表示を制御させるようにすることができる。
【００２０】
表示制御手段には、サムネイルデータ生成手段により生成された複数のサムネイルデータに含まれているサムネイル画像が表示画面中に１つ表示され、サムネイル画像に対応するテキストデータが、サムネイル画像上に重畳されて表示されるように、サムネイルデータの表示を制御させるようにすることができる。
【００２１】
表示制御手段には、サムネイルデータ生成手段により生成された複数のサムネイルデータに含まれている複数のサムネイル画像と、サムネイル画像に対応するテキストデータが、所定の配列で表示されるように、サムネイルデータの表示を制御させるようにすることができる。
【００２２】
表示制御手段には、サムネイルデータ生成手段により生成された複数のサムネイルデータに含まれている複数のサムネイル画像が、所定の配列で表示されるように、サムネイルデータの表示を制御させるようにすることができる。
【００２３】
表示制御手段には、サムネイルデータ生成手段により生成された複数のサムネイルデータに含まれている複数のテキストデータが、所定の配列で表示されるように、サムネイルデータの表示を制御させるようにすることができる。
【００２４】
本発明の情報処理方法は、録画データの番組を区別するための区別情報、録画データに関するテキストデータ、および、テキストデータに対応する第２の時刻情報を含むメタデータの記憶を制御するメタデータ記憶制御ステップと、録画データと、メタデータ記憶制御ステップの処理により記憶が制御されているメタデータを基に、サムネイル画像データ、テキストデータ、および、テキストデータに対応する第２の時刻情報で構成されるサムネイルデータを生成するサムネイルデータ生成ステップとを含み、メタデータは、複数のテキストデータ、および、テキストデータに対応する第２の時刻情報を含み、第２の時刻情報は、所定の記憶部により記憶されている録画データが表示され、複数のテキストデータが表示される場合の、それぞれのテキストデータの表示開始時刻を少なくとも含み、サムネイルデータ生成ステップの処理では、複数のテキストデータそれぞれに対応する第２の時刻情報の表示開始時刻に基づいた所定の時刻の録画データの画像情報が抽出されて、サムネイル画像データが生成されることを特徴とする。
【００２５】
本発明のプログラムは、コンピュータに、録画データの番組を区別するための区別情報、録画データに関するテキストデータ、および、テキストデータに対応する第２の時刻情報を含むメタデータの記憶を制御するメタデータ記憶制御ステップと、録画データと、メタデータ記憶制御ステップの処理により記憶が制御されているメタデータを基に、サムネイル画像データ、テキストデータ、および、テキストデータに対応する第２の時刻情報で構成されるサムネイルデータを生成するサムネイルデータ生成ステップとを実行させ、メタデータは、複数のテキストデータ、および、テキストデータに対応する第２の時刻情報を含み、第２の時刻情報は、所定の記憶部により記憶されている録画データが表示され、複数のテキストデータが表示される場合の、それぞれのテキストデータの表示開始時刻を少なくとも含み、サムネイルデータ生成ステップの処理では、複数のテキストデータそれぞれに対応する第２の時刻情報の表示開始時刻に基づいた所定の時刻の録画データの画像情報が抽出されて、サムネイル画像データが生成されることを特徴とする。
【００２６】
本発明の情報処理装置および情報処理方法、並びに、プログラムにおいては、録画データの番組を区別するための区別情報、録画データに関するテキストデータ、および、テキストデータに対応する第２の時刻情報を含むメタデータが記憶され、録画データとメタデータを基に、サムネイル画像データ、テキストデータ、および、テキストデータに対応する第２の時刻情報で構成されるサムネイルデータが生成され、メタデータは、複数のテキストデータ、および、テキストデータに対応する第２の時刻情報を含み、第２の時刻情報は、録画データが表示され、テキストデータが表示される場合の、それぞれのテキストデータの表示開始時刻を少なくとも含み、複数のテキストデータそれぞれに対応する第２の時刻情報の表示開始時刻に基づいた所定の時刻の録画データの画像情報が抽出されて、サムネイル画像データが生成される。
【００２７】
本発明の情報処理システムは、第１の情報処理装置が、放送信号を取得する第１の放送信号取得手段と、放送信号の番組を固有に区別可能な区別情報を取得する第１の区別情報取得手段と、第１の放送信号取得手段により取得された放送信号に、第１の時刻情報と、第１の区別情報取得手段により取得された区別情報とを対応付けて録画データを生成する録画データ生成手段とを備え、第２の情報処理装置が、第１の時刻情報が対応付けられた録画データを記憶する録画データ記憶手段と、暗号化されたメタデータを取得するメタデータ取得手段と、暗号化されたメタデータを復号するために用いられる復号鍵を取得する復号鍵取得手段と、メタデータ取得手段により取得された暗号化されたメタデータを、復号鍵取得手段により取得された復号鍵を用いて復号する復号処理手段と、復号処理手段により復号された、区別情報、録画データに関するテキストデータ、および、テキストデータに対応する第２の時刻情報を含むメタデータを記憶するメタデータ記憶手段と、録画データ記憶手段により記憶されている録画データと、メタデータ記憶手段により記憶されているメタデータを基に、サムネイル画像データ、テキストデータ、および、テキストデータに対応する第２の時刻情報で構成されるサムネイルデータを生成するサムネイルデータ生成手段とを備え、第３の情報処理装置は、放送信号を取得する第２の放送信号取得手段と、区別情報を取得する第２の区別情報取得手段と、第２の放送信号取得手段により取得された放送信号から、ユーザにより表示するか否かを選択することが可能な字幕データを抽出してデコードする字幕データデコード手段と、字幕データデコード手段によりデコードされた字幕データに対応するテキストデータにタイムコードを対応付けるタイムコード対応付け処理手段と、タイムコード対応付け処理手段によりタイムコードが対応付けられたテキストデータに、第２の区別情報取得手段により取得された区別情報を対応付けて、メタデータを生成するメタデータ生成手段と、メタデータ生成手段により生成されたメタデータを暗号化する暗号化手段とを備え、第４の情報処理装置は、ユーザの登録情報を記憶する登録情報記憶手段と、第２の情報処理装置から、ユーザの認証に関する情報を取得する認証情報取得手段と、認証情報取得手段により取得されたユーザの認証に関する情報、および、登録情報記憶手段により記憶されているユーザの登録情報を基に、認証処理を実行する認証処理手段と、認証処理手段によりユーザが正しく認証された場合、第２の情報処理装置への、メタデータを復号する復号鍵の供給を制御する復号鍵供給制御手段とを備えることを特徴とする。
【００２８】
第４の情報処理装置には、復号鍵供給制御手段により復号鍵の供給が制御されたことに伴って発生する課金に関する情報を記憶する課金情報記憶手段と、課金情報記憶手段により記憶された課金に関する情報を基に、ユーザに対する課金処理を実行する課金処理手段とを更に設けさせるようにすることができる。
【００２９】
本発明の情報処理システムにおいては、第１の情報処理装置で、放送信号が取得され、放送信号の番組を固有に区別可能な区別情報が取得され、放送信号に、第１の時刻情報と、第１の区別情報取得手段により取得された区別情報とが対応付けられて録画データが生成され、第２の情報処理装置で、第１の時刻情報が対応付けられた録画データが記憶され、暗号化されたメタデータが取得され、暗号化されたメタデータを復号するために用いられる復号鍵が取得され、暗号化されたメタデータが復号鍵を用いて復号され、区別情報、録画データに関するテキストデータ、および、テキストデータに対応する第２の時刻情報を含むメタデータが記憶され、録画データとメタデータを基に、サムネイル画像データ、テキストデータ、および、テキストデータに対応する第２の時刻情報で構成されるサムネイルデータが生成され、第３の情報処理装置で、放送信号が取得され、放送信号の番組を固有に区別可能な区別情報が取得され、放送信号から、ユーザにより表示するか否かを選択することが可能な字幕データが抽出されてデコードされ、デコードされた字幕データに対応するテキストデータにタイムコードが対応付けられ、タイムコードが対応付けられたテキストデータに、区別情報が対応付けられて、メタデータが生成され、メタデータが暗号化され、第４の情報処理装置で、ユーザの登録情報が記憶され、第２の情報処理装置から、ユーザの認証に関する情報が取得され、ユーザの認証に関する情報、および、ユーザの登録情報を基に、認証処理が実行され、ユーザが正しく認証された場合、第２の情報処理装置へ、メタデータを復号する復号鍵が供給される。
【発明の効果】
【００３０】
本発明によれば、サムネイルデータが生成される。特に、字幕データを基に生成されたメタデータを用いてサムネイルデータが生成されるので、ユーザは、例えば、生成されたサムネイルデータにより、録画された放送番組の大まかな内容を簡単に理解することができたり、テキスト入力を行うことなく、録画データの所望の再生開始位置を指令することができる。
【００３１】
他の本発明によれば、供給された暗号化されたメタデータが復号されて、復号されたメタデータを基にサムネイルデータが生成される。特に、字幕データを基に生成されたメタデータを用いてサムネイルデータが生成されるので、ユーザは、例えば、生成されたサムネイルデータにより、録画された放送番組の大まかな内容を簡単に理解することができたり、テキスト入力を行うことなく、録画データの所望の再生開始位置を指令することができる。
【発明を実施するための最良の形態】
【００３２】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３３】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００３４】
請求項１に記載の情報処理装置（例えば、図３の録画装置９、図２９の録画装置３６２、または、図３３の録画装置４０２）は、第１の時刻情報（例えば、図４の録画開始時刻情報９５）が対応付けられた録画データを記憶する録画データ記憶手段（例えば、図３、図２９、または、図３３の録画データ記憶部７２）と、録画データの番組を区別するための区別情報（例えば、図７の番組ＩＤ情報１６７）、録画データに関するテキストデータ（例えば、図７のテキストデータ１６５）、および、テキストデータに対応する第２の時刻情報（例えば、図７のタイムコード１６６）を含むメタデータを記憶するメタデータ記憶手段（例えば、図３、図２９、または、図３３のメタデータ記憶部７８）と、録画データ記憶手段により記憶されている録画データと、メタデータ記憶手段により記憶されているメタデータを基に、サムネイル画像データ、テキストデータ、および、テキストデータに対応する第２の時刻情報で構成されるサムネイルデータを生成するサムネイルデータ生成手段（例えば、図３、図２９、または、図３３のサムネイル生成部７９）とを備え、メタデータは、複数のテキストデータ、および、テキストデータに対応する第２の時刻情報を含み、第２の時刻情報は、録画データ記憶手段により記憶されている録画データが表示され、複数のテキストデータが表示される場合の、それぞれのテキストデータの表示開始時刻を少なくとも含み、サムネイルデータ生成手段は、複数のテキストデータそれぞれに対応する第２の時刻情報の表示開始時刻に基づいた所定の時刻（例えば、開始時刻に対応する時刻、もしくは、開始時刻に対して、所定の時間だけ前または後の所定の時刻）の録画データの画像情報を抽出して、サムネイル画像データを生成することを特徴とする。
【００３５】
サムネイルデータ生成手段により生成されたサムネイルデータのうちの少なくとも一部の表示を制御する表示制御手段（例えば、図３、図２９、または、図３３のサムネイル画面表示制御部８０）を更に備えるようにすることができる。
【００３６】
表示制御手段により表示が制御されているサムネイルデータに対応する表示画面を参照したユーザの操作入力を受ける操作入力手段（例えば、図３、図２９、または、図３３の操作入力部７１）と、操作入力手段により入力された、表示制御手段により表示が制御されているサムネイルデータに対応する位置を再生開始位置として指定する操作入力を基に、録画データ記憶手段により記憶されている録画データから、サムネイルデータに含まれている第２の時刻情報に基づいた再生開始位置（例えば、開始時刻に対応する時刻、もしくは、開始時刻に対して、所定の時間だけ前または後の所定の時刻に対応する再生開始位置や、２つのサムネイル画像に対応する開始時刻（タイムコード）の真ん中となる所定の時刻に対応する再生開始位置）を検索し、検索された再生開始位置から開始される録画データを読み出す検索手段（例えば、図３、図２９、または、図３３の録画データ検索出力部８１）とを更に備えるようにすることができる。
【００３７】
請求項９の情報処理方法は、所定の記憶部に録画データを記憶可能な情報処理装置（例えば、図３の録画装置９、図２９の録画装置３６２、または、図３３の録画装置４０２）の情報処理方法であって、録画データの番組を区別するための区別情報（例えば、図７の番組ＩＤ情報１６７）、録画データに関するテキストデータ（例えば、図７のテキストデータ１６５）、および、テキストデータに対応する第２の時刻情報（例えば、図７のタイムコード１６６）を含むメタデータの記憶を制御するメタデータ記憶制御ステップ（例えば、図１７のステップＳ１５０の処理）と、録画データと、メタデータ記憶制御ステップの処理により記憶が制御されているメタデータを基に、サムネイル画像データ、テキストデータ、および、テキストデータに対応する第２の時刻情報で構成されるサムネイルデータを生成するサムネイルデータ生成ステップ（例えば、図１９を用いて説明した処理）とを含み、メタデータは、複数のテキストデータ、および、テキストデータに対応する第２の時刻情報を含み、第２の時刻情報は、所定の記憶部により記憶されている録画データが表示され、複数のテキストデータが表示される場合の、それぞれのテキストデータの表示開始時刻を少なくとも含み、サムネイルデータ生成ステップの処理では、複数のテキストデータそれぞれに対応する第２の時刻情報の表示開始時刻に基づいた所定の時刻（例えば、開始時刻に対応する時刻、もしくは、開始時刻に対して、所定の時間だけ前または後の所定の時刻）の録画データの画像情報が抽出されて、サムネイル画像データが生成されることを特徴とする。
【００３８】
また、請求項１０に記載のプログラムにおいても、各ステップが対応する実施の形態（但し一例）は、請求項９に記載の情報処理方法と同様である。
【００３９】
請求項１１に記載の情報処理システムは、放送信号を取得して処理する第１の情報処理装置（例えば、図３の表示選択字幕デコーダ８）と、サムネイルデータを生成する第２の情報処理装置（例えば、図３の録画装置９）と、第２の情報処理装置で利用されるメタデータを生成する第３の情報処理装置（例えば、図５および図６のメタデータ作成サーバ６）と、第２の情報処理装置に、メタデータを復号する復号鍵を供給する第４の情報処理装置（例えば、図９および図１０の認証サーバ７）とによって構成され、第１の情報処理装置は、放送信号を取得する第１の放送信号取得手段（例えば、図３の入力端子２１−１および２１−２）と、放送信号の番組を固有に区別可能な区別情報（例えば、番組ＩＤ）を取得する第１の区別情報取得手段（例えば、図３の番組ＩＤ情報抽出部３９）と、第１の放送信号取得手段により取得された放送信号に、第１の時刻情報（たとえば、図４の録画開始時刻情報９５）と、第１の区別情報取得手段により取得された区別情報とを対応付けて録画データを生成する録画データ生成手段（例えば、図３の出力信号生成部３３）とを備え、第２の情報処理装置は、第１の時刻情報（例えば、図４の録画開始時刻情報９５）が対応付けられた録画データを記憶する録画データ記憶手段（例えば、図３の録画データ記憶部７２）と、暗号化されたメタデータを取得するメタデータ取得手段（例えば、図３のネットワークインターフェース７３）と、暗号化されたメタデータを復号するために用いられる復号鍵を取得する復号鍵取得手段（例えば、図３のネットワークインターフェース７３）と、メタデータ取得手段により取得された暗号化されたメタデータを、復号鍵取得手段により取得された復号鍵を用いて復号する復号処理手段（例えば、図３の復号処理部７７）と、復号処理手段により復号された、区別情報（例えば、図７の番組ＩＤ情報１６７）、録画データに関するテキストデータ（例えば、図７のテキストデータ１６５）、および、テキストデータに対応する第２の時刻情報（例えば、図７のタイムコード１６６）を含むメタデータを記憶するメタデータ記憶手段（例えば、図３のメタデータ記憶部７８）と、録画データ記憶手段により記憶されている録画データと、メタデータ記憶手段により記憶されているメタデータを基に、サムネイル画像データ、テキストデータ、および、テキストデータに対応する第２の時刻情報で構成されるサムネイルデータを生成するサムネイルデータ生成手段（例えば、図３のサムネイル生成部７９）とを備え、第３の情報処理装置は、放送信号を取得する第２の放送信号取得手段（例えば、図６の放送データ取得部１４１）と、区別情報（例えば、番組ＩＤ）を取得する第２の区別情報取得手段（例えば、図６の番組ＩＤ情報抽出部１４３）と、第２の放送信号取得手段により取得された放送信号から、ユーザにより表示するか否かを選択することが可能な字幕データ（例えば、図２の表示選択字幕データ１７）を抽出してデコードする字幕データデコード手段（例えば、図６の表示選択字幕データデコーダ１４５）と、字幕データデコード手段によりデコードされた字幕データに対応するテキストデータにタイムコードを対応付けるタイムコード対応付け処理手段（例えば、図６のタイムコード対応付け処理部１４７）と、タイムコード対応付け処理手段によりタイムコードが対応付けられたテキストデータに、第２の区別情報取得手段により取得された区別情報を対応付けて、メタデータを生成するメタデータ生成手段（例えば、図６のメタデータ生成部１４４）と、メタデータ生成手段により生成されたメタデータを暗号化する暗号化手段（例えば、図６の暗号化処理部１４９）とを備え、第４の情報処理装置は、ユーザの登録情報を記憶する登録情報記憶手段（例えば、図１０のユーザ情報データベース２０６）と、第２の情報処理装置から、ユーザの認証に関する情報を取得する認証情報取得手段（例えば、図１０の操作入力情報取得部２０４）と、認証情報取得手段により取得されたユーザの認証に関する情報、および、登録情報記憶手段により記憶されているユーザの登録情報を基に、認証処理を実行する認証処理手段（例えば、図１０の認証処理部２０７）と、認証処理手段によりユーザが正しく認証された場合、第２の情報処理装置への、メタデータを復号する復号鍵の供給を制御する復号鍵供給制御手段（例えば、図１０の鍵供給処理部２０８）とを備えることを特徴とする。
【００４０】
第４の情報処理装置は、復号鍵供給制御手段により復号鍵の供給が制御されたことに伴って発生する課金に関する情報を記憶する課金情報記憶手段（例えば、図１０の課金情報データベース２１１）と、課金情報記憶手段により記憶された課金に関する情報を基に、ユーザに対する課金処理を実行する課金処理手段（例えば、図１０の課金処理部２１０）とを更に備えることができる。
【００４１】
以下、図を参照して、本発明の実施の形態について説明する。
【００４２】
図１は、本発明を適用した情報処理システムの構成について説明するためのシステム図である。
【００４３】
放送局１は、地上波、または、衛星波などを用いて、番組を放送する。放送される番組のデータには、映像データと音声データが含まれる。また、番組データには、映像データとして必ず表示される、いわゆる字幕（番組の題名やキャストなどの紹介、または、海外の作品における日本語字幕）以外に、表示させるか否かを選択可能な字幕データが含まれる。このような選択可能な字幕データ（いわゆる、クローズドキャプション）には、海外の作品における日本語字幕のような出演者の会話に対応するテキストデータのみならず、例えば、ＢＧＭや効果音などの説明も含まれていてもよい。
【００４４】
例えば、NTSC方式のアナログの地上波放送では、映像信号に525本の走査線が用いられており、この525本のうち、各フィールド(２フィールドで１フレームを構成)の最初の２１本相当は、VBI（Vertical Blanking Interval：垂直帰線消去期間）と称される、走査を開始するためのインターバル用に割り当てられている。クローズドキャプションは、各フィールドのVBIのうち、VBIの２１本目に７ｂitの文字コードを多重化することによって伝送されるようになされており、各フィールドを使って２種類の文字セットを毎秒約60文字伝送することができるようになされている。以下、クローズドキャプションに代表される、表示と非表示を選択可能な字幕データを、表示選択字幕データと称するものとする。
【００４５】
映像データ、音声データ、表示選択字幕データの具体的な例について、図２を用いて説明する。
【００４６】
映像データ１５は、動画像データであり、図２においては、動画像データ中の、いくつかのタイミングにおけるフレーム画像データを抽出して図示している。音声データ１６は、映像データ１５と同時再生されるべき音声データである。表示選択字幕データ１７は、例えば、音声データ１６に対応するテキストデータであってもかまわないし、音声データに対応するテキストデータ以外の、音声データが会話である場合に、発話者を説明するためのテキストデータなどが含まれるようにしても良い。映像データ１５と音声データ１６は、例えば、それぞれ対応するようなリンク情報を有しているか、相対時刻のタイムスタンプを有することにより、例えば、放送時にリアルタイムで視聴される以外に、録画されて再生された場合においても時間軸がずれてしまうことがないようになされている。これに対して、表示選択字幕データ１７は、再生時にデコードされるまで、映像データと同一に扱われることしか想定されていないため、映像データ１５または音声データ１６に対するリンクデータや、相対時刻のタイムスタンプなどを有していない。
【００４７】
再び、図１の説明に戻る。
【００４８】
ユーザは、テレビジョン受像機２を用いて、図２を用いて説明した表示選択字幕データ１７を含む映像データ１５、および、音声データ１６で構成される放送信号を受信する。表示選択字幕データを表示させる必要がなく、かつ、表示選択字幕データを用いた、後述するサムネイル画面表示および検索処理を行わないユーザは、ホームサーバ３、または、表示選択字幕デコーダ８を用いなくても、チューナ１１によって選局された放送信号を、映像および音声信号処理部１２において復調し、映像信号を出力部１３のディスプレイに表示するとともに、音声信号を出力部１３のスピーカに出力して、番組を視聴することが可能である。
【００４９】
ホームサーバ３は、表示選択字幕デコーダ８、および、録画装置９によって構成されている。表示選択字幕デコーダ８は、テレビジョン受像機２のチューナ１１によって選局された放送信号の入力を受け、映像信号および音声信号をデコードするとともに、ユーザの操作入力に基づいて、表示選択字幕データを抽出してデコードし、出力部１３に出力して表示および音声出力させることができる。更に、表示選択字幕デコーダ８は、テレビジョン受像機２のチューナ１１によって選局された放送信号の入力を受け、放送信号を処理することにより、録画装置９がインターネット５を介してメタデータ作成サーバ６から取得したメタデータを用いて検索処理を実行することが可能な、録画開始時刻を示す情報（以下、録画開始時刻情報と称する）が対応付けられた録画データを生成して、録画装置９に供給することができる。また、表示選択字幕デコーダ８は、録画装置９により録画され、検索処理により再生位置が指定された録画データの供給を受け、表示選択字幕を必要に応じてデコードして、出力部１３に出力して表示および音声出力させることができる。
【００５０】
録画装置９は、ユーザの操作入力に基づいて、表示選択字幕デコーダ８により生成された録画開始時刻情報つき録画データの供給を受けて内部の記録媒体に記録（すなわち、録画）する。また、録画装置９は、インターネット５を介して、メタデータ作成サーバ６から、表示選択字幕データに対応するテキストデータと、テキストデータに対応するタイムコードにより構成されるメタデータの供給を受けるとともに、認証サーバ７から、メタデータを復号するための復号鍵の供給を受けてメタデータを復号し、復号されたメタデータを用いて、サムネイルデータファイルを生成し、内部の記録媒体に記録する。サムネイルデータファイルを構成するサムネイルデータは、サムネイル画像データに、表示選択字幕データに対応するテキストデータとタイムコードとが関連付けられているものである。そして、録画装置９は、ユーザが指定した番組に対応するサムネイルデータファイルを基に、出力部１３に、サムネイル画像および表示選択字幕データに対応するテキストデータの両方、または、少なくともいずれか１つを表示させるための表示制御処理を実行する。
【００５１】
ユーザは、出力部１３に表示されるサムネイル画像、または、テキストデータを参照し、録画されている番組の内容を理解したり、再生開始位置を指令することができる。そして、ユーザにより、サムネイルデータのうちのいずれかが、再生開始位置として選択された場合、録画装置９において、ユーザが指令した再生開始位置に対応するタイムコードが検出され、タイムコードを基に、録画データが検索されて、表示選択字幕デコーダ８に供給される。サムネイルデータの表示と検索処理の詳細については後述する。ここで、検索される「番組」とは、例えば、２時間ドラマなどのプログラムの全体であっても、１つのプログラムがコマーシャルなどで区切られている場合の区切られた１単位ごとでも、複数のプログラムを含むものであっても、更に、コマーシャルを含むものやコマーシャルのみを示すものであっても良い。
【００５２】
なお、テレビジョン受像機２およびホームサーバ３が実行可能な機能の一部または全部を、例えば、携帯型電話機やＰＤＡなどの携帯端末を用いて実行するようにしても良い。
【００５３】
メタデータ作成サーバ６は、インターネット５を介して、または、所定の媒体を介して、もしくは、図示しないアンテナより受信することにより、放送局１が作成した表示選択字幕データつきの放送信号を取得し、それを基に、メタデータを作成して、作成したメタデータを暗号化する。また、メタデータ作成サーバ６は、暗号化されたメタデータを、インターネット５を介してユーザに配布するためのウェブページをインターネット５に公開し、例えば、録画装置９や、図示しないパーソナルコンピュータ、携帯型電話機、または、ＰＤＡなどを用いたユーザからのアクセスを受け、ユーザが所望した番組の検索に利用される暗号化されたメタデータを、インターネット５を介してダウンロードさせる。
【００５４】
なお、メタデータのユーザへの配布方法は、ウェブページをインターネット５に公開する以外にも、例えば、ホストコンピュータを中心に、複数の情報処理装置を電話回線で接続し、データ通信を行う、いわゆる、パソコン通信や、その他、専用線を介した通信や、リムーバブルな記録媒体を介したデータの配布など、いかなる媒体を介するものであっても良い。
【００５５】
認証サーバ７は、メタデータ作成サーバ６が作成し暗号化してユーザに配布したメタデータを復号するための復号鍵を、インターネット５を介してユーザに配布するためのウェブページをインターネット５に公開し、例えば、録画装置９や、図示しないパーソナルコンピュータ、携帯型電話機、または、ＰＤＡなどを用いたユーザからのアクセスを受け、ユーザが所望したメタデータの復号鍵に対する対価の決済を行ったうえで、ユーザに復号鍵を配布する。また、認証サーバ７は、表示選択字幕データを作成した放送局１に対する対価を放送局１に対して支払うための課金処理を実行する。
【００５６】
なお、復号鍵のユーザへの配布方法も、ウェブページをインターネット５に公開する以外にも、例えば、ホストコンピュータを中心に、複数の情報処理装置を電話回線で接続し、データ通信を行う、いわゆる、パソコン通信や、その他、専用線を介した通信や、リムーバブルな記録媒体を介したデータの配布など、いかなる媒体を介するものであっても良い。
【００５７】
図３は、図１の表示選択字幕デコーダ８と、録画装置９とにより構成されているホームサーバ３の構成を示すブロック図である。
【００５８】
テレビジョン受像機２のチューナ１１により選局された放送信号のうち、表示選択字幕データを含む映像信号は、入力端子２１−１より映像信号デコーダ３１に供給され、音声信号は、入力端子２１−２より音声信号デコーダ３４に入力される。
【００５９】
映像信号デコーダ３１は、供給された映像信号をデコードし、デコードされた映像データをメモリ３２に供給する。メモリ３２は、供給された映像信号を一時保持するフレームメモリである。音声信号デコーダ３４は、供給された音声信号をデコードし、デコードされた音声データを出力する。
【００６０】
操作入力部４１により入力されたユーザの操作により、受信された放送信号をリアルタイムに出力する、すなわち、現在放送中の番組を視聴することが指令された場合、表示選択字幕データデコーダ３５は、メモリ３２から映像データを取得する。そして、操作入力部４１により入力されたユーザの操作により、表示選択字幕データの表示が指令された場合、表示選択字幕データデコーダ３５は、取得した映像データに含まれる表示選択字幕データをデコードして、対応するテキストデータをＯＳＤ（On Screen Display）３６に供給するとともに、映像データを合成処理部３７に供給する。
【００６１】
また、表示選択字幕データデコーダ３５は、入力端子２４−１を介して、録画装置９から供給された再生された映像データを取得した場合においても、操作入力部４１により入力されたユーザの操作により、表示選択字幕データの表示が指令されたとき、取得した映像データに含まれる表示選択字幕データをデコードして、対応するテキストデータをＯＳＤ３６に供給するとともに、映像データを合成処理部３７に供給する。
【００６２】
ＯＳＤ３６は、供給されたテキストデータを、表示画面に重畳して表示させるための画像データであるＯＳＤデータに変換して、合成処理部３７に供給する。合成処理部３７は、供給された映像データに、供給されたＯＳＤデータを重畳して、出力端子２２−１からテレビジョン受像機２の出力部１３のディスプレイに出力する。また、このとき、音声出力処理部３８は、音声信号デコーダ３４によりデコードされた音声データ、または、入力端子２４−２を介して供給された音声データを取得して、出力端子２２−２から、テレビジョン受像機２の出力部１３のスピーカに出力する。
【００６３】
更に、表示選択字幕データデコーダ３５は、入力端子２４−１を介して、録画装置９から供給された、サムネイルデータファイルの映像データを取得した場合、取得された映像データを、合成処理部３７を介して出力端子２２−１に供給し、ＯＳＤ３６による合成処理を施さない状態で、テレビジョン受像機の出力部１３のディスプレイに出力させる。また、このとき、音声出力処理部３８は、入力端子２４−２を介して供給された音声データを取得して、出力端子２２−２から、テレビジョン受像機２の出力部１３のスピーカに出力する。
【００６４】
操作入力部４１により入力されたユーザの操作に基づいて、または、データ端子６１−３を介して、録画装置９から供給された制御信号に基づいて、供給された映像信号および音声信号を録画装置９に出力して録画させることが指令された場合、出力信号生成部３３は、番組ＩＤ情報抽出部３９に、メモリ３２に保持されている映像データから番組管理情報に含まれる番組ＩＤを抽出させるように制御する。番組ＩＤ情報抽出部３９は、映像信号デコーダ３１によりデコードされた映像データに含まれる番組管理情報から、番組（ここでも、「番組」とは、検索される単位を示し、例えば、２時間ドラマなどのプログラムの全体であっても、１つのプログラムがコマーシャルなどで区切られている場合の区切られた１単位ごとでも、複数のプログラムを含むものであっても、更に、コマーシャルを含むものやコマーシャルのみを示すものであっても良い）を固有に区別可能な番組ＩＤ情報を抽出し、出力信号生成部３３に供給する。
【００６５】
なお、映像データに番組管理情報が含まれていない場合、番組ＩＤ情報抽出部３９は、出力信号生成部３３を介して、タイマ４０から時刻情報を取得し、取得した時刻情報から、番組ＩＤ情報を生成することができるようにしても良い。
【００６６】
出力信号生成部３３は、タイマ４０を参照して、録画が開始された時刻（絶対時刻）を取得し、メモリ３２から供給される映像データ、または、音声信号デコーダ３４から供給される音声データのうちの少なくともいずれか一方に、取得した時刻情報である録画開始時刻情報を対応付けるとともに、映像データおよび音声データに対して、番組ＩＤ情報抽出部３９から供給された番組ＩＤを対応付けて、録画される出力信号を生成し、出力端子２３−１および２３−２から録画装置９に供給する。この録画開始時刻情報は、後述するサムネイル画面表示および検索処理において用いられる。
【００６７】
録画される出力信号について、図４を用いて説明する。
【００６８】
出力信号生成部３３において、録画される出力信号のうち、映像データ１５または音声データ１６のうちのいずれか少なくとも一方に、録画開始時刻情報９５が対応付けられる。そして、映像データ１５には、表示選択字幕データ１７が含まれている。そして、これらのデータに番組ＩＤ情報が関連つけられて、録画用の出力信号が生成される。
【００６９】
図３に戻って、録画装置９の構成について説明する。
【００７０】
操作入力部７１は、例えば、ボタン、キー、タッチパネル、タッチパッド、レバーなどの入力デバイスで構成され、ユーザの操作入力を受ける。録画データ記憶部７２は、入力端子６１−１および入力端子６１−２から供給される、番組ＩＤと録画開始時刻情報が対応付けられた映像データおよび音声データを記憶する。録画データ記憶部７２は、例えば、ハードディスクなどの大容量記録媒体により構成されるようにしても、ＤＶＤ（Digital Versatile Disc）やビデオテープなどのリムーバブルな記録媒体に構成されるようにしても良い。
【００７１】
録画制御部８２は、ユーザが、操作入力部７１に対して、放送番組の録画を指令したとき、表示選択字幕デコーダ８に供給された映像信号および音声信号を検索可能な情報として録画することができるように、番組ＩＤおよび録画開始時刻情報を対応付けて、録画装置９に出力させるための制御信号を生成し、データ端子６１−３およびデータ端子２３−３を介して、表示選択字幕デコーダ８の出力信号生成部３３に供給する。
【００７２】
ネットワークインターフェース７３は、インターネット５に公開されているウェブページの情報を取得して、表示部７４に表示させたり、表示部７４を参照したユーザが、操作入力部７１に入力した操作に基づいて、所定の情報を、メタデータ作成サーバ６、または、認証サーバ７に送信したり、メタデータ作成サーバ６から、メタデータをダウンロードして、暗号化メタデータ記憶部７５に出力して記憶させたり、認証サーバ７から取得した復号鍵を、復号鍵記憶部７６に出力して記憶させたりする。また、ネットワークインターフェース７３は、ユーザが保有する図示しないパーソナルコンピュータ、携帯型電話機、または、ＰＤＡなどを用いて取得された、暗号化されたメタデータや復号鍵などを、有線または無線を介した通信により、図示しないパーソナルコンピュータ、携帯型電話機、または、ＰＤＡから受信することも可能である。
【００７３】
表示部７４は、例えば、ＬＣＤ（Liquid Crystal Display）またはＣＲＴ（Cathode Ray Tube）などで構成され、ネットワークインターフェース７３を介して取得されたインターネット５に公開されているウェブページの情報や、操作入力部７１によりユーザが入力した情報などを表示する。
【００７４】
暗号化メタデータ記憶部７５は、取得された暗号化されたメタデータを記憶する。復号鍵記憶部７６は、取得された復号鍵を記憶する。復号処理部７７は、暗号化メタデータ記憶部７５に記憶されている暗号化されたメタデータを、復号鍵記憶部７６に記憶されている復号鍵を用いて復号し、メタデータ記憶部７８に出力して記憶させる。メタデータ記憶部７８は、復号されたメタデータの供給を受け、これを記憶する。
【００７５】
サムネイル生成部７９は、メタデータ記憶部７８に記憶されているメタデータを参照して、録画データ記憶部７２に記憶されている録画データから、映像信号のうちの１フレームの画像データであるサムネイル画像データとサムネイル画像データに対応するテキストデータとにより構成されるサムネイルデータを複数生成し、番組ＩＤで区別される１つの番組分のサムネイルデータより生成されたサムネイルデータファイルを、録画データ記憶部７２に記憶させる。
【００７６】
サムネイル画像表示制御部８０は、操作入力部７１から、録画データの番組ＩＤを指定する情報の入力を受け、番組ＩＤで区別される番組のサムネイルデータファイルを録画データ記憶部７２から読み出し、操作入力部７１により供給されるユーザの操作入力により選択された表示方法で、サムネイルデータに含まれるサムネイル画像またはテキストのうちの少なくともいずれか一方が表示されるような表示データを生成し、出力端子６２−１を介して、表示選択字幕デコーダ８に供給する。また、ユーザにより選択されたサムネイルの表示方法に、動画像が含まれているとき、サムネイル画像表示制御部は、表示される動画像に対応する音声データを、録画データ記憶部７２から読み出して、出力端子６２−２を介して、表示選択字幕デコーダ８に供給するようにしてもよい。
【００７７】
録画データ検索出力部８１は、サムネイル画面表示制御部８０の制御に基づいて表示されたサムネイル画像またはテキストを参照したユーザの操作入力を基に、ユーザが再生開始位置として指定したタイムコードを検出し、検出されたタイムコードを基に、例えば、タイムコードに示される時刻、もしくは、タイムコードより所定の時間だけ前または後などの所定の時刻に対応する位置から再生される録画データを録画データ記憶部７２を検索して読み出し、出力端子６２−１および出力端子６２−２を介して、表示選択字幕デコーダ８に供給する。録画データ記憶部７２に記憶されている録画データには、図４を用いて説明した録画開始時刻情報９５が付与されているので、録画データ検索出力部８１は、録画開始時刻情報９５を基準として、タイムコードに対応する再生開始位置を検出することができる。
【００７８】
次に、図５は、メタデータ作成サーバ６の構成を示すブロック図である。
【００７９】
ＣＰＵ（Central Processing Unit）１０１は、ＲＯＭ（Read Only Memory）１０２に記憶されているプログラム、または記憶部１０８からＲＡＭ（Random Access Memory）１０３にロードされたプログラムに従って、各種の処理を実行する。ＲＡＭ１０３にはまた、ＣＰＵ１０１が各種の処理を実行するうえにおいて必要なデータなども適宜記憶される。
【００８０】
ＣＰＵ１０１、ＲＯＭ１０２、およびＲＡＭ１０３は、バス１０４を介して相互に接続されている。このバス１０４にはまた、入出力インタフェース１０５も接続されている。
【００８１】
入出力インタフェース１０５には、キーボード、マウスなどよりなる入力部１０６、ディスプレイやスピーカなどよりなる出力部１０７、ハードディスクなどより構成される記憶部１０８、モデム、ターミナルアダプタなどより構成される通信部１０９が接続されている。通信部１０９は、インターネット５を含むネットワークを介しての通信処理を行う。
【００８２】
入出力インタフェース１０５にはまた、必要に応じてドライブ１１０が接続され、磁気ディスク１２１、光ディスク１２２、光磁気ディスク１２３、もしくは、半導体メモリ１２４などが適宜装着され、それらから読み出されたコンピュータプログラムが、必要に応じて記憶部１０８にインストールされる。
【００８３】
図６は、メタデータを作成する処理を実行する、図５を用いて説明したメタデータ作成サーバ６の機能（ＣＰＵ１０１が実行するプログラムによって実現される機能を含む）について説明するための機能ブロック図である。
【００８４】
放送データ取得部１４１は、図５の通信部１０９に対応し、インターネット５を介して、または、図示しないアンテナを介して、放送データを取得して、デコーダ１４２に供給する。
【００８５】
デコーダ１４２は、供給された放送データをデコードする。ここで、デコーダ１４２は、放送データのうち、メタデータの作成に必要となる番組ＩＤ情報を含む番組管理情報や表示選択字幕データが含まれている映像信号のみをデコードすればよい。
【００８６】
番組ＩＤ情報抽出部１４３は、デコーダ１４２によりデコードされた映像データに含まれる番組管理情報から、放送番組（ここでも、「番組」とは、検索される単位を示し、例えば、２時間ドラマなどのプログラムの全体であっても、１つのプログラムがコマーシャルなどで区切られている場合の区切られた１単位ごとでも、複数のプログラムを含むものであっても、更に、コマーシャルを含むものやコマーシャルのみを示すものであっても良い）を固有に区別可能な番組ＩＤ情報を抽出し、メタデータ生成部１４４に供給するとともに、供給された映像データを表示選択字幕データデコーダ１４５に供給する。
【００８７】
なお、映像データに番組管理情報が含まれていない場合、番組ＩＤ情報抽出部１４３は、図示しないタイマから時刻情報を取得し（または、タイマ１４８から時刻情報を取得することができるようにして）、取得した時刻情報から、番組ＩＤ情報を生成することができるようにしても良い。
【００８８】
表示選択字幕データデコーダ１４５は、取得した映像データに含まれる表示選択字幕データをデコードして、対応するテキストデータを表示選択字幕データ解析部１４６に供給する。表示選択字幕データ解析部１４６は、表示選択字幕データデコーダ１４５から供給された、表示選択字幕データに対応するテキストデータを、適切な長さのテキスト群に分割（例えば、一度に表示されるテキストを１つのテキスト群として分割）し、分割されたテキスト群をタイムコード対応付け処理部１４７に供給する。
【００８９】
タイムコード対応付け処理部１４７は、タイマ１４８を参照して、供給されたテキスト群のそれぞれに対して、テキストの開始位置および終了位置に対応するタイムコードを対応付ける処理を実行する。タイムコード対応付け処理部１４７は、放送データ取得部１４１が、ユーザが放送データを取得する場合と同様に、リアルタイムで（すなわち、番組の放送時刻に）放送信号を取得した場合、タイマ１４８が示す現在時刻に基づいて、タイムコードをテキストデータに対応付けるものとする。また、タイムコード対応付け処理部１４７は、放送データ取得部１４１が、番組の放送時刻から遅れて放送信号を取得した場合、または、デコーダ１４２乃至表示選択字幕データ解析部１４６の処理にかかる時間が、一般的なテレビジョン受像機を用いた放送信号の出力処理と比較して長くなってしまう場合、タイマ１４８が示す現在時刻と放送信号の取得の遅延時間、または、処理にかかる時間による遅延時間に基づいて、番組の放送時刻に対応するタイムコードを算出し、テキストデータに対応付けるものとする。
【００９０】
メタデータ生成部１４４は、タイムコード対応付け処理部１４７から供給されたタイムコードが対応付けられたテキストデータに、番組ＩＤ情報抽出部１４３から供給された番組ＩＤ情報を対応付けてメタデータを生成し、暗号化処理部１４９に供給する。
【００９１】
図７を用いて、メタデータについて説明する。
【００９２】
表示選択字幕データ解析部１４６により、適切な長さのテキスト群であるテキスト１、テキスト２、・・・に分割されたテキストデータ１６５に対して、タイムコード対応付け処理部１４７において、それぞれのテキスト群の開始時刻と終了時刻が記載されたタイムコード１６６が対応付けられる。例えば、テキスト１として、“「７時のニュースです」「今日の初めの話題は、・・・」”の部分のテキストが分割された場合、番組の放送において、この部分の表示選択字幕が表示される時刻に対応する開始時刻および終了時刻が、タイムコード１６６に記載される。そして、更に、番組ＩＤ情報抽出部１４３から供給された番組ＩＤ情報１６７が対応付けられて、メタデータ１６１が生成される。
【００９３】
また、テキストデータ１６５のうち、キーワードとなる所定のテキストに対して、キーワードリンク情報を付与するようにしても良い。キーワードリンク情報は、キーワードを固有に区別可能なキーワードＩＤと、同一のキーワードＩＤを有するテキストの発生順（すなわち、タイムコード１６６に記載される時刻が早い順）の連続番号などで構成され、後述するサムネイル画面表示および検索処理において利用される。キーワードリンク情報は、例えば、図８に示されるように、タグとして記述することなどにより、メタデータ１６１のテキストデータ１６５に含まれるようにしても良い。また、キーワードリンク情報には、メタデータ１６１の番組ＩＤ１６７と同一の番組ＩＤが付与されるものとして、メタデータ１６１とは別にユーザに供給されるようにしても良い。以下、キーワードリンク情報は、メタデータ１６１のテキストデータ１６５に含まれるものとして説明する。
【００９４】
キーワードリンク情報が、タグとして記述されて、テキストデータ１６５に含まれるとき、キーワードリンク情報は、例えば、＜Ｋｅｙ（キーワードＩＤ）−（リンクされるテキストにおける発生順番を示す数値、すなわち、１以上の整数）＞テキスト＜／Ｋｅｙ（キーワードＩＤ）−（リンクされるテキストにおける発生順番を示す数値、すなわち、１以上の整数）＞という形式で記載される。キーワードＩＤとは、キーワードとなるテキスト固有のＩＤであり、例えば、数字などであってもよい。
【００９５】
図８に示されるテキストデータ１６５のテキスト１乃至テキスト３においては、”車椅子””東京””Ａ区”の３つのテキストに対して、キーワードリンク情報が付与されている。図８のテキストデータ１６５においては、”車椅子”に対しては、＜Ｋｅｙ１−ｎ（ｎは、１以上の整数）＞，＜／Ｋｅｙ１−ｎ＞のタグが付与され、”東京” に対しては、＜Ｋｅｙ２−ｍ（ｍは、１以上の整数）＞，＜／Ｋｅｙ２−ｍ＞のタグが付与され、”Ａ区” に対しては、＜Ｋｅｙ３−ｐ（ｐは、１以上の整数）＞，＜／Ｋｅｙ３−ｐ＞のタグが付与されて、他のテキストと区別される。後述する処理において、タグが付与されたテキストがユーザにより選択されたとき、録画装置９は、タグ情報を参照することにより、メタデータ１６１のうちのテキストデータ１６５から、選択されたテキストとリンク付けられている他のテキストを抽出することができる。
【００９６】
なお、ここでは、同一のテキストデータに対して、キーワードリンク情報が付加されるものとして説明したが、同一のテキストデータではなくても、関連性の深いテキストデータ同士に、同一のテキスト固有のＩＤナンバーを有するキーワードリンク情報を付加するようにしてもよい。
【００９７】
図６の説明に戻る。
【００９８】
暗号化処理部１４９は、メタデータ作成部１４４から供給されたメタデータを、暗号鍵記憶部１５０に予め記憶されている、番組ＩＤに対応する暗号鍵で暗号化し、メタデータ記憶部１５１に供給する。メタデータ供給制御部１５２は、通信部１５３から供給されるメタデータを要求する信号に基づいて、ユーザが所望する番組に対応する暗号化されたメタデータをメタデータ記憶部１５１から検索して、ユーザが保有する録画装置９、もしくは、図示しないパーソナルコンピュータ、携帯型電話機、または、ＰＤＡなどに、インターネット５を介して供給する。
【００９９】
ページ情報記憶部１５５は、例えば、ダウンロード可能なメタデータの一覧や、メタデータを利用するために必要な復号鍵の取得方法など、ユーザにメタデータをダウンロードさせて利用させるために必要な情報を提供するためのウェブページに対応する情報を記憶している。ウェブページ公開処理部１５４は、ページ情報記憶部１５５に記憶されているウェブページをインターネット５に公開する。
【０１００】
通信部１５３は、図５の通信部１０９に対応するものであり、インターネット５を介して、ユーザが保有する録画装置９、もしくは、図示しないパーソナルコンピュータ、携帯型電話機、または、ＰＤＡなどと情報を授受するものである。
【０１０１】
次に、図９は、認証サーバ７の構成を示すブロック図である。
【０１０２】
ＣＰＵ（Central Processing Unit）１７１は、ＲＯＭ（Read Only Memory）１７２に記憶されているプログラム、または記憶部１７８からＲＡＭ（Random Access Memory）１７３にロードされたプログラムに従って、各種の処理を実行する。ＲＡＭ１７３にはまた、ＣＰＵ１７１が各種の処理を実行するうえにおいて必要なデータなども適宜記憶される。
【０１０３】
ＣＰＵ１７１、ＲＯＭ１７２、およびＲＡＭ１７３は、バス１７４を介して相互に接続されている。このバス１７４にはまた、入出力インタフェース１７５も接続されている。
【０１０４】
入出力インタフェース１７５には、キーボード、マウスなどよりなる入力部１７６、ディスプレイやスピーカなどよりなる出力部１７７、ハードディスクなどより構成される記憶部１７８、モデム、ターミナルアダプタなどより構成される通信部１７９が接続されている。通信部１７９は、インターネット５を含むネットワークを介しての通信処理を行う。
【０１０５】
入出力インタフェース１７５にはまた、必要に応じてドライブ１８０が接続され、磁気ディスク１２１、光ディスク１２２、光磁気ディスク１２３、もしくは、半導体メモリ１２４などが適宜装着され、それらから読み出されたコンピュータプログラムが、必要に応じて記憶部１７８にインストールされる。
【０１０６】
次に、図１０は、認証処理および課金処理を実行する、図９の認証サーバ７の機能（ＣＰＵ１７１が実行するプログラムによって実現される機能を含む）について説明するための機能ブロック図である。
【０１０７】
ページ情報記憶部２０２は、例えば、ユーザ登録用のユーザ情報および課金情報の入力、メタデータを利用するために必要な復号鍵の取得方法、復号鍵の購入要求の送信など、ユーザがダウンロードしたメタデータを復号するために必要な復号鍵を提供し、その課金を行うためのウェブページに対応する情報を記憶している。ウェブページ公開処理部２０１は、ページ情報記憶部２０２に記憶されているウェブページをインターネット５に公開する。
【０１０８】
通信部２０３は、図９の通信部１７９に対応するものであり、インターネット５を介して、ユーザが保有する録画装置９、もしくは、図示しないパーソナルコンピュータ、携帯型電話機、または、ＰＤＡなどと情報を授受するものである。
【０１０９】
操作入力情報取得部２０４は、通信部２０３を介して、ユーザが送信した操作入力情報を取得し、操作入力情報が、ウェブページの操作に関するものである場合は、ウェブページ公開処理部２０１に、ユーザ登録のための個人情報である場合は、ユーザ情報登録処理部２０５に、認証処理に必要な情報である場合は、認証処理部２０７に、鍵の購入を要求する情報である場合は、鍵供給処理部２０８に、課金処理に関する情報であるときは、課金処理部２１０に、操作入力情報を、それぞれ供給する。
【０１１０】
ユーザ情報登録処理部２０５は、操作入力情報取得部２０４から、ユーザ登録のための個人情報の供給を受けて、ユーザ情報データベース２０６に個人情報を供給する。ユーザ情報データベース２０６は、ユーザ登録のための個人情報であるユーザ登録情報を記憶する。認証処理部２０７は、新たに登録されたユーザに対して、ユーザを固有に区別可能なユーザＩＤを発行し、ユーザ情報データベース２０６に登録するとともに、発行したユーザＩＤを、通信部２０３を介して、ユーザが保有する録画装置９、もしくは、図示しないパーソナルコンピュータ、携帯型電話機、または、ＰＤＡなどに送出する。また、認証処理部２０７は、操作入力情報取得部２０４から、認証処理に必要な情報の供給を受け、ユーザ情報データベース２０６に登録されているユーザ情報を参照して認証処理を実行し、認証処理結果を鍵供給処理部２０８に出力する。
【０１１１】
鍵供給処理部２０８は、操作入力情報取得部２０４から、鍵の購入を要求する情報の供給を受け、認証処理部２０７からユーザの認証処理が正しく終了したことを示す認証結果の入力を受けた場合、復号鍵記憶部２０９から対応する復号鍵を読み込んで、通信部２０３を介して、ユーザが保有する録画装置９、もしくは、図示しないパーソナルコンピュータ、携帯型電話機、または、ＰＤＡなどに供給するとともに、課金処理部２１０に、鍵の供給に関する情報を出力する。
【０１１２】
復号鍵記憶部２０９は、番組ＩＤごとに、暗号化されたメタデータを復号するための復号鍵を保存している。すなわち、復号鍵記憶部２０９は、図６を用いて説明した、暗号鍵記憶部１５０に予め記憶されている、暗号化処理部１４９がメタデータを暗号化する場合に用いられる番組ＩＤごとの暗号鍵に対応する復号鍵を保存している。
【０１１３】
課金処理部２１０は、操作入力情報取得部２０４および鍵供給処理部２０８から供給された課金に関する情報を基に、課金処理を行い、課金に必要な情報を課金情報データベース２１１に登録したり、ユーザ情報データベース２０６および課金情報データベース２１１に登録されている内容を基に、ユーザに対する供給された復号鍵の対価の決済処理や、放送局１に対する表示選択字幕の提供の対価の支払い処理などを実行する。課金情報データベース２１１には、課金処理のために必要な情報が登録される。
【０１１４】
次に、図１１のフローチャートを参照して、図３を用いて説明した、表示選択字幕デコーダ８が実行する処理である表示選択字幕デコーダの処理１について説明する。
【０１１５】
ステップＳ１において、映像信号デコーダ３１および音声信号デコーダ３４は、番組放送信号（映像信号および音声信号）の入力を受けて、デコードを行う。映像信号デコーダ３１は、デコードした映像データをメモリ３２に供給する。
【０１１６】
ステップＳ２において、表示選択字幕データデコーダ３５および音声出力処理部３８は、操作入力部４１から供給されるユーザの操作入力を基に、番組の視聴が指令されているか否かを判断する。
【０１１７】
ステップＳ２において、番組の視聴が指令されていると判断された場合、ステップＳ３において、表示選択字幕データデコーダ３５は、操作入力部４１から供給されるユーザの操作入力を基に、表示選択字幕の表示が指令されているか否かを判断する。
【０１１８】
ステップＳ３において、表示選択字幕の表示が指令されていると判断された場合、ステップＳ４において、表示選択字幕データデコーダ３５は、表示選択字幕データをデコードして、ＯＳＤ３６に供給するとともに、映像データを合成処理部３７に供給する。ＯＳＤ３６は、供給されたテキストデータを画像データであるＯＳＤデータに変換し、合成処理部３７に出力する。合成処理部３７は、供給されたＯＳＤデータを映像データに合成して、出力端子２２−１を介して、テレビジョン受像機２に出力する。また、音声出力処理部３８も、音声信号デコーダ３４によりデコードされた音声データを取得して、出力端子２２−２を介して、テレビジョン受像機２に出力する。
【０１１９】
ステップＳ３において、表示選択字幕の表示が指令されていないと判断された場合、ステップＳ５において、表示選択字幕データデコーダ３５は、表示選択字幕データをデコードせず、映像データを、合成処理部３７および出力端子２２−１を介して、テレビジョン受像機２に出力する。また、音声出力処理部３８も、音声信号デコーダ３４によりデコードされた音声データを取得して、出力端子２２−２を介して、テレビジョン受像機２に出力する。
【０１２０】
ステップＳ２において、番組の視聴が指令されていないと判断された場合、もしくは、ステップＳ４またはステップＳ５の処理の終了後、ステップＳ６において、出力信号生成部３３は、操作入力部４１から供給されるユーザの操作入力、または、データ端子２３−３を介して供給される、録画装置９の録画制御部８２からの制御信号を基に、番組の録画が指令されているか否かを判断する。ステップＳ６において、番組の録画が指令されていないと判断された場合、処理が終了される。
【０１２１】
ステップＳ６において、番組の録画が指令されたと判断された場合、ステップＳ７において、図１２を用いて後述する録画データ作成処理が実行される。
【０１２２】
ステップＳ８において、出力信号生成部３３は、ステップＳ７の処理により作成された録画データを、出力端子２３−１および出力端子２３−２を介して、録画装置９に供給し、処理が終了される。
【０１２３】
このような処理により、表示選択字幕デコーダ８は、ユーザの操作入力に基づいて、受信された放送信号を視聴するときに、表示選択字幕をデコードして映像に重畳させて表示させたり、表示選択字幕に対応するテキストデータを検索処理に用いることが可能な録画データを生成して、録画装置９に供給して録画させることが可能となる。
【０１２４】
次に、図１２のフローチャートを参照して、図１１のステップＳ７において実行される録画データ作成処理について説明する。
【０１２５】
ステップＳ２１において、番組ＩＤ情報抽出部３９は、メモリ３２に保持されているデコードされた映像データに含まれる番組管理情報から、録画される番組を個別に識別可能な番組ＩＤ情報を抽出して、出力信号生成部３３に供給する。
【０１２６】
ステップＳ２２において、出力信号生成部３３は、タイマ４０を参照して、メモリ３２から供給された映像データ、または、音声信号デコーダ３４から供給された音声データのうちの少なくともいずれか一方に、録画開始時刻情報９５を対応付ける。
【０１２７】
ステップＳ２３において、出力信号生成部３３は、録画開始時刻情報９５が対応付けられた映像データまたは音声データに、更に、番組ＩＤを関連付け、図４を用いて説明した録画用の出力信号を生成して、処理は、図１１のステップＳ８に進む。
【０１２８】
このような処理により、表示選択字幕に対応するテキストデータを検索処理に用いることが可能な、番組ＩＤおよび録画開始時刻情報９５が対応付けられた録画データが生成される。
【０１２９】
なお、映像データに番組管理情報が含まれていない場合、番組ＩＤ情報抽出部３９は、出力信号生成部３３を介して、タイマ４０から時刻情報を取得し、取得した時刻情報から、番組ＩＤ情報を生成することができるようにしても良い。
【０１３０】
次に、図１３のフローチャートを参照して、図５および図６を用いて説明したメタデータ作成サーバ６が実行するメタデータ作成処理１について説明する。
【０１３１】
ステップＳ６１において、放送データ取得部１４１は、番組放送信号（少なくとも、映像信号）の入力を受け、デコーダ１４２に供給する。デコーダ１４２は、供給された映像信号をデコードして、番組ＩＤ情報抽出部１４３に供給する。
【０１３２】
ステップＳ６２において、番組ＩＤ情報抽出部１４３は、供給された映像データに含まれる番組管理情報から、番組を認識するための番組固有の情報である番組ＩＤを抽出し、番組ＩＤをメタデータ生成部１４４に供給するとともに、デコードされた映像データを、表示選択字幕データデコーダ１４５に供給する。
【０１３３】
ステップＳ６３において、表示選択字幕データデコーダ１４５は、供給された映像データから表示選択字幕データを抽出してデコードし、表示選択字幕データ解析部１４６に供給する。
【０１３４】
ステップＳ６４において、表示選択字幕データ解析部１４６は、表示選択字幕データに対応するテキストデータを解析し、所定の長さ（例えば、表示が選択された場合に一度に表示される所定の文字数や、ユーザが所定の時間で読解することが可能な程度の長さ）のテキスト群に分解して、タイムコード対応付け処理部１４７に供給する。
【０１３５】
ステップＳ６５において、タイムコード対応付け処理部１４７は、供給されたテキスト群に対して、開始時刻と終了時刻のタイムコードをそれぞれ対応付け、メタデータ生成部１４４に供給する。
【０１３６】
ステップＳ６６において、メタデータ生成部１４４は、タイムコード対応付け処理部１４７から供給されたタイムコード付のテキストデータ群に、番組ＩＤ情報抽出部１４３から供給された番組ＩＤを対応付けて、図７を用いて説明したメタデータ１６１を作成して、暗号化処理部１４９に供給する。
【０１３７】
また、メタデータ生成部１４４は、テキストデータ１６５のうちの所定のキーワードに対して、キーワードリンク情報を付与するようにしても良い。キーワードリンク情報は、キーワードを固有に区別可能なキーワードＩＤと、同一のキーワードＩＤを有するテキストの発生順（すなわち、タイムコード１６６に記載される時刻が早い順）の連続番号などで構成され、後述する、サムネイル画面表示および検索処理において利用される。キーワードリンク情報は、例えば、タグとして記述することなどにより、メタデータ１６１のテキストデータ１６５に含まれるものとするが、キーワードリンク情報を、メタデータ１６１とは別の情報（例えば、キーワードＩＤと対応するタイムコードとのテーブル情報など）として、ユーザに供給するようにしても良い。
【０１３８】
ステップＳ６７において、暗号化処理部１４９は、供給されたメタデータ１６１を、暗号鍵記憶部１５０に記憶されている、番組ＩＤに対応する鍵を用いて暗号化し、メタデータ記憶部１５１に供給する。
【０１３９】
ステップＳ６８において、メタデータ記憶部１５１は、暗号化されたメタデータ１６１を記憶して、処理が終了される。
【０１４０】
このような処理により、表示選択字幕データに対応するテキストデータ１６５、テキストデータに対応するタイムコード１６６、および、番組ＩＤ１６７により構成されるメタデータ１６１が生成され、暗号化されて記憶される。また、メタデータ１６１には、必要に応じて、キーワードリンク情報が付与されるようにしてもよい。更に、メタデータ１６１にはキーワードリンク情報を付与せず、キーワードリンク情報と同様のデータを、メタデータ１６１とは別に、ユーザに供給するようにしてもよい。暗号化されて記憶されたメタデータ１６１は、後述する処理により、ユーザが保有する録画装置９にダウンロードされる。
【０１４１】
なお、図１３の処理においても、映像データに番組管理情報が含まれていない場合、番組ＩＤ情報抽出部１４３は、時刻情報を取得して、番組ＩＤ情報を生成することができるようにしても良い。
【０１４２】
次に、図１４のフローチャートを参照して、図９および図１０を用いて説明した認証サーバ７が実行するユーザ登録処理について説明する。
【０１４３】
ステップＳ８１において、ウェブページ公開処理部２０１は、ページ情報記憶部２０２に記憶されているユーザ登録のためのウェブページを、インターネット５に公開する。
【０１４４】
ステップＳ８２において、操作入力情報取得部２０４は、ユーザが保有する録画装置９、もしくは、図示しないパーソナルコンピュータ、携帯型電話機、または、ＰＤＡなどから、通信部２０３を介して、ユーザ登録要求を受けたか否かを判断する。ステップＳ８２において、ユーザ登録要求を受けていないと判断された場合、処理は、ステップＳ８１に戻り、それ以降の処理が繰り返される。
【０１４５】
ステップＳ８２において、ユーザ登録要求を受けたと判断された場合、操作入力情報取得部２０４は、ユーザ登録要求を受けたことをウェブページ公開処理部２０１に通知するので、ステップＳ８３において、ウェブページ公開処理部２０１は、ユーザ登録画面に対応するデータを、通信部２０３およびインターネット５を介して、ユーザが保有する録画装置９、もしくは、図示しないパーソナルコンピュータ、携帯型電話機、または、ＰＤＡなどに送出する。
【０１４６】
ステップＳ８４において、操作入力情報取得部２０４は、例えば、決済方法などの課金方法に関する情報や、ユーザの氏名やメールアドレスなどの個人情報を含む、ユーザ登録情報の供給を受け、ユーザ情報登録処理部２０５に供給する。
【０１４７】
ステップＳ８５において、ユーザ情報登録処理部２０５は、ユーザ情報データベース２０６にユーザ登録情報を供給して記憶させる。ユーザ情報データベース２０６は供給されたユーザ登録情報を記憶する。
【０１４８】
ステップＳ８６において、認証処理部２０７は、新たに登録されたユーザに対して、ユーザを固有に区別可能なユーザＩＤを発行し、ユーザ情報データベース２０６に登録するとともに、発行したユーザＩＤを、通信部２０３およびインターネット５を介して、ユーザが保有する録画装置９、もしくは、図示しないパーソナルコンピュータ、携帯型電話機、または、ＰＤＡなどに送出して、処理が終了される。
【０１４９】
このような処理により、認証サーバ７にユーザ登録情報が登録される。登録されたユーザ登録情報は、後述する復号鍵の供給時、および、課金処理時に利用される。
【０１５０】
次に、図１５のフローチャートを参照して、図５および図６を用いて説明したメタデータ作成サーバ６が実行するメタデータ供給処理について説明する。
【０１５１】
ステップＳ１０１において、ウェブページ公開処理部１５４は、ページ情報記憶部１５５に記憶されている、ユーザがメタデータを要求するためのウェブページを、インターネット５に公開する。
【０１５２】
ステップＳ１０２において、メタデータ供給制御部１５２は、通信部１５３を介して、ユーザが保有する録画装置９、もしくは、図示しないパーソナルコンピュータ、携帯型電話機、または、ＰＤＡなどから、所定の番組ＩＤにより区別される番組に対応するメタデータを要求する操作入力を示す信号の入力を受けたか否かを判断する。ステップＳ１０２において、メタデータを要求する操作入力を示す信号の入力を受けていないと判断された場合、処理は、ステップＳ１０１に戻り、それ以降の処理が繰り返される。
【０１５３】
ステップＳ１０２において、メタデータを要求する操作入力を示す信号の入力を受けたと判断された場合、ステップＳ１０３において、メタデータ供給制御部１５２は、要求された番組に対応する暗号化されたメタデータを、メタデータ記憶部１５１から読み出して、通信部１５３およびインターネット５を介して、ユーザが保有する録画装置９、もしくは、図示しないパーソナルコンピュータ、携帯型電話機、または、ＰＤＡなどに送出し、処理が終了される。
【０１５４】
このような処理により、暗号化されたメタデータが、ユーザが保有する録画装置９、もしくは、図示しないパーソナルコンピュータ、携帯型電話機、または、ＰＤＡなどに送出される。送出されたメタデータは、録画装置９に記憶され、後述する処理により復号されて、検索処理に用いられる。
【０１５５】
次に、図１６のフローチャートを参照して、図９および図１０を用いて説明した認証サーバ７が実行する復号鍵供給制御処理について説明する。
【０１５６】
ステップＳ１２１において、ウェブページ公開処理部２０１は、ページ情報記憶部２０２に記憶されているメタデータを復号するための復号鍵の購入要求を受けるためのウェブページを、インターネット５に公開する。
【０１５７】
ステップＳ１２２において、操作入力情報取得部２０４は、ユーザが保有する録画装置９、もしくは、図示しないパーソナルコンピュータ、携帯型電話機、または、ＰＤＡなどから、通信部２０３を介して、復号鍵を要求する操作入力を受けたか否かを判断する。ステップＳ１２２において、復号鍵を要求する操作入力を受けていないと判断された場合、処理は、ステップＳ１２１に戻り、それ以降の処理が繰り返される。
【０１５８】
ステップＳ１２２において、復号鍵を要求する操作入力を受けたと判断された場合、操作入力情報取得部２０４は、復号鍵を要求する操作入力を受けたことを認証処理部２０７に通知するので、ステップＳ１２３において、認証処理部２０７は、例えば、通信部２０３を介して、ユーザが保有する録画装置９、もしくは、図示しないパーソナルコンピュータ、携帯型電話機、または、ＰＤＡなどに、ユーザＩＤの送出を要求して、ユーザ情報データベース２０６に登録されているユーザＩＤを照会することなどにより、認証処理を実行する。
【０１５９】
ステップＳ１２４において、鍵供給処理部２０８は、認証処理部２０７から供給される認証処理の結果を基に、ユーザが保有する録画装置９、もしくは、図示しないパーソナルコンピュータ、携帯型電話機、または、ＰＤＡなどを用いて復号鍵を要求する操作入力を実行したユーザが、正しく認証されたか否かを判断する。
【０１６０】
ステップＳ１２４において、正しく認証されたと判断された場合、ステップＳ１２５において、鍵供給処理部２０８は、課金処理部２１０を制御して、ユーザから入力された情報、もしくは、ユーザ情報データベース２０６または課金情報データベース２１１に登録されている情報を基に、決済処理を実行させる。決済処理には、例えば、クレジットカード決済、電子マネー決済などがある。課金処理部２１０は、一般的なこれらの決済方法を用いて、決済処理を実行する。
【０１６１】
ステップＳ１２６において、鍵供給処理部２０８は、課金処理部２１０から供給される信号を基に、正しく決済が終了したか否かを判断する。
【０１６２】
ステップＳ１２６において、正しく決済が終了したと判断された場合、ステップＳ１２７において、鍵供給処理部２０８は、操作入力情報取得部２０４から供給される、ユーザからの復号鍵の要求を示す信号から、要求された復号鍵に対応するメタデータの番組ＩＤを取得する。
【０１６３】
ステップＳ１２８において、鍵供給処理部２０８は、番組ＩＤに対応する復号鍵を復号鍵記憶部２０９から読み出し、通信部２０３およびインターネット５を介して、ユーザが保有する録画装置９、もしくは、図示しないパーソナルコンピュータ、携帯型電話機、または、ＰＤＡなどに送信する。
【０１６４】
ステップＳ１２９において、課金処理部２１０は、ユーザが選択した決済方法、金額、または、決済結果などを、課金情報データベース２１１に登録する。課金情報データベース２１１は、登録された課金情報を記憶して、処理が終了される。
【０１６５】
ステップＳ１２４において、正しく認証されなかったと判断された場合、または、ステップＳ１２６において、正しく決済が終了しなかったと判断された場合、ステップＳ１３０において、認証処理部２０７または課金処理部２１０は、通信部２０３およびインターネット５を介して、ユーザが保有する録画装置９、もしくは、図示しないパーソナルコンピュータ、携帯型電話機、または、ＰＤＡなどに、処理が正しく終了しなかったことをユーザに通知するためのエラーメッセージを出力して、処理が終了される。
【０１６６】
このような処理により、メタデータを復号するための復号鍵が、ユーザにより購入されて、ユーザが保有する録画装置９、もしくは、図示しないパーソナルコンピュータ、携帯型電話機、または、ＰＤＡなどに送信される。この復号鍵は、後述する処理により、メタデータの復号に用いられる。また、この復号鍵の購入によりユーザから得られた対価のうちの少なくとも一部は、表示選択字幕データを作成した放送局１に支払われるので、表示選択字幕が付加された番組の割合が増えることが予測され、聴覚障害者がより多くの番組を楽しむことができるようになる。
【０１６７】
なお、図１６においては、ユーザが復号鍵を購入するときの課金のための決済処理が、１トランザクションごとに実行されるものとして説明したが、ユーザが復号鍵を購入するにあたっての課金の方法は、例えば、月額や年額、または、固定料金制などの、いずれの方法であっても良い。
【０１６８】
次に、図１７のフローチャートを参照して、図１５のメタデータ供給処理、および、図１６の復号鍵供給制御処理と並行して、図３を用いて説明した、ユーザが保有する録画装置９において実行される、メタデータ記憶処理１について説明する。
【０１６９】
ステップＳ１４１において、図１８を用いて後述するメタデータ取得処理が実行される。なお、メタデータ取得処理は、ここでは、ステップＳ１４１において実行されるものとしているが、後述するステップＳ１４９が実行される前であれば、いかなるタイミングで実行されても良い。
【０１７０】
ステップＳ１４２において、ネットワークインターフェース７３は、インターネット５において公開されている、ユーザがメタデータを復号するための復号鍵の購入を要求するためのウェブページにアクセスして、ウェブページを表示部７４に表示する。ユーザは、表示部７４に表示されたウェブページを参照して、操作入力部７１を用いて、メタデータの利用を希望する番組を指定するので、ネットワークインターフェース７３は、操作入力部７１から供給されるメタデータの利用を希望する番組を指定する情報、すなわち、番組ＩＤで指定される、暗号化されたメタデータを復号するための復号鍵の購入を要求する信号を、インターネット５を介して、認証サーバ７に送信する。
【０１７１】
ネットワークインターフェース７３は、認証サーバ７から、ユーザに認証処理に必要な情報を入力させるためのウェブページに対応するデータを受信して、ウェブページを表示部７４に表示させる。ユーザは、表示部７４に表示されたウェブページを参照して、操作入力部７１を用いて、例えば、ユーザＩＤなどの、認証処理に必要な情報を入力するので、ステップＳ１４３において、ネットワークインターフェース７３は、操作入力部７１から供給される認証処理に必要な情報を、インターネット５を介して、認証サーバ７に送信する。
【０１７２】
ステップＳ１４４において、ネットワークインターフェース７３は、認証サーバ７から供給される信号を基に、正しく認証されたか否かを判断する。
【０１７３】
ステップＳ１４４において、正しく認証されたと判断された場合、ネットワークインターフェース７３は、認証サーバ７から、ユーザに決済処理に必要な情報を入力させるためのウェブページに対応するデータを受信して、ウェブページを表示部７４に表示させる。ユーザは、表示部７４に表示されたウェブページを参照して、操作入力部７１を用いて、決済処理に必要な情報を入力するので、ステップＳ１４５において、ネットワークインターフェース７３は、例えば、決済方法の指定や、決済のための金融機関などとの契約において設定されているユーザＩＤやパスワードなどの、操作入力部７１から供給される決済処理に必要な情報を、インターネット５を介して、認証サーバ７に送信する。
【０１７４】
ステップＳ１４６において、ネットワークインターフェース７３は、認証サーバ７から供給される信号を基に、正しく決済が終了したか否かを判断する。
【０１７５】
ステップＳ１４６において、正しく決済が終了したと判断された場合、ステップＳ１４７において、ネットワークインターフェース７３は、指定された番組ＩＤに対応する復号鍵を、インターネット５を介して、認証サーバ７から受信し、復号鍵記憶部７６に供給する。
【０１７６】
ステップＳ１４８において、復号鍵記憶部７６は、供給された復号鍵を番組ＩＤに対応付けて記憶する。
【０１７７】
ステップＳ１４９において、復号処理部７７は、復号鍵記憶部７６に記憶された復号鍵を用いて、暗号化メタデータ記憶部７５に記憶されている暗号化されたメタデータを復号して、メタデータ記憶部７８に供給する。
【０１７８】
ステップＳ１５０において、メタデータ記憶部７８は、復号済みのメタデータを記憶して、処理が終了される。
【０１７９】
ステップＳ１４４において、正しく認証されなかったと判断された場合、または、ステップＳ１４６において、正しく決済が終了しなかったと判断された場合、ステップＳ１５１において、ネットワークインターフェース７３は、インターネット５を介して、認証サーバ７から、処理が正しく終了されなかったことを示すエラーメッセージを受信して、表示部７４に出力して表示させ、処理が終了される。
【０１８０】
このような処理により、暗号化されたメタデータがメタデータ作成サーバ６からダウンロードされ、メタデータを復号するための復号鍵の購入のための処理が実行されて、認証サーバ７から復号鍵が取得されるので、この復号鍵を用いてメタデータが復号されて、検索処理に利用するために、録画装置９の内部に記憶される。
【０１８１】
なお、図１７の処理においては、例えば、ユーザが復号鍵を要求するためのウェブページにアクセスすることにより、録画装置９が復号鍵を取得して記憶することができるものとして説明したが、録画装置９は、録画された番組に対応するメタデータを復号するための復号鍵を、自動的に取得することができるようにしても良い。
【０１８２】
次に、図１８のフローチャートを参照して、図１７のステップＳ１４１において実行されるメタデータ取得処理について説明する。
【０１８３】
ステップＳ１６１において、ネットワークインターフェース７３は、インターネット５において公開されている、ユーザがメタデータを要求するためのウェブページにアクセスして、ウェブページを表示部７４に表示する。ユーザは、表示部７４に表示されたウェブページを参照して、操作入力部７１を用いて、メタデータの利用を希望する番組を指定するので、ネットワークインターフェース７３は、操作入力部７１から供給されるユーザの操作入力によって指定された番組に対応する番組名または番組ＩＤを、インターネット５を介して、メタデータ作成サーバ６に供給する。
【０１８４】
ステップＳ１６２において、ネットワークインターフェース７３は、インターネット５を介して、メタデータ作成サーバ６から、暗号化されたメタデータを受信したか否かを判断する。ステップＳ１６２において、メタデータを受信していないと判断された場合、処理は、ステップＳ１６１に戻り、それ以降の処理が繰り返される。
【０１８５】
ステップＳ１６２において、メタデータを受信したと判断された場合、ステップＳ１６３において、ネットワークインターフェース７３は、受信した暗号化されたメタデータを、暗号化メタデータ記憶部７５に供給する。暗号化メタデータ記憶部７５は、供給された暗号化メタデータを記憶して、処理が終了される。
【０１８６】
このような処理により、暗号化されたメタデータをメタデータ作成サーバ６からダウンロードすることができる。
【０１８７】
なお、図１８の処理においては、例えば、ユーザがメタデータを要求するためのウェブページにアクセスすることにより、録画装置９がメタデータを取得して記憶することができるものとして説明したが、録画装置９は、録画された番組に対応するメタデータを自動的に取得することができるようにしても良い。
【０１８８】
次に、図１９のフローチャートを参照して、図３を用いて説明した、ユーザが保有する録画装置９において実行されるサムネイル生成処理について説明する。
【０１８９】
ステップＳ１７１において、サムネイル生成部７９は、メタデータ記憶部７８に記憶されているメタデータ１６１を取得する。
【０１９０】
ステップＳ１７２において、サムネイル生成部７９は、ステップＳ１７１において取得したメタデータ１６１の番組ＩＤ情報１６７に対応する録画データを、録画データ記憶部７２から検索して取得する。
【０１９１】
ステップＳ１７３において、サムネイル生成部７９は、取得したメタデータ１６１のタイムコード１６６に含まれるそれぞれのテキストの開始時刻を基に、例えば、開始時刻に対応する時刻、もしくは、開始時刻に対して、所定の時間だけ前または後の所定の時刻の映像を、録画データから１フレームずつ抽出して、サムネイル画像とする。
【０１９２】
ステップＳ１７４において、サムネイル生成部７９は、ステップＳ１７３において生成されたサムネイル画像に、タイムコード１６６およびテキストデータ１６５に記載されている、対応するタイムコードおよびテキストデータを関連付けて、サムネイルデータとする。
【０１９３】
ステップＳ１７５において、サムネイル生成部７９は、ステップＳ１７４において生成されたサムネイルデータを基に、番組ＩＤ情報１６７で固有に区別可能なサムネイルデータファイルを生成する。すなわち、サムネイル生成部７９は、タイムコード１６６を構成するテキスト群と同一の数のサムネイルデータを、サムネイル画像、タイムコード、テキストデータによって構成し、これらのサムネイルデータに番組ＩＤ情報１６７を付与して、サムネイルデータファイルとする。
【０１９４】
ステップＳ１７６において、サムネイル生成部７９は、生成されたサムネイルデータファイルを録画データ記憶部７２に出力して記憶させて、処理が終了される。
【０１９５】
このような処理により、画像、テキスト、タイムコードが関連付けられたサムネイルデータが生成され、同一の番組のサムネイルデータ群により、サムネイルデータファイルが生成される。
【０１９６】
図２０乃至図２６を用いて、サムネイル画面の表示形式について説明する。
【０１９７】
図２０を用いて、動画像とサムネイル画像の両方が表示されるようになされている、サムネイル画面の第１の表示形式について説明する。
【０１９８】
サムネイル画像／テキストデータ表示画面２５１は、動画像が表示される動画像表示エリア２６１、サムネイル画像が表示されるサムネイル画像表示エリア２６２−１乃至２６２−４、それぞれのサムネイル画像に対応するテキストが表示されるテキスト表示エリア２６３−１乃至２６３−４、現在表示されているサムネイル画像およびテキストよりも、時間的に早いシーンに対応するサムネイル画像およびテキストの表示を指令するための矢印ボタン２６４−１、並びに、現在表示されているサムネイル画像およびテキストよりも、時間的に後のシーンに対応するサムネイル画像およびテキストの表示を指令するための矢印ボタン２６４−２を含み、テキスト表示エリア２６３−１乃至２６３−４に表示されるテキストのうち、キーワードリンク情報が付与されたテキストであるリンクテキスト２６５−１乃至２６５−４は、他のテキストと異なる色で表示される。
【０１９９】
例えば、サムネイル画像表示エリア２６２−３が選択されている状態であるとき、動画像表示エリア２６１には、サムネイル画像表示エリア２６２-３のシーンから始まる動画像を表示させるようにしてもよい。
【０２００】
ユーザは、適宜、矢印ボタン２６４−１または矢印ボタン２６４−２に対して操作入力を行うことにより、表示されるサムネイル画像とテキストデータを変更させ、サムネイル画像およびテキストデータを参照することにより、録画データを再生させることなく、録画された番組の内容を理解することができ、更に、所望の再生開始位置に対応するサムネイル画像、または、テキストを選択して、確定する処理を行うことにより、検索キーとなるテキストを入力することなく、ユーザが所望する再生開始位置を検索して、再生開始を指令することが可能となる。
【０２０１】
また、リンクテキスト２６５−１乃至２６５-４は、所定のテキストに、例えば、図８を用いて説明したような、キーワードリンク情報が付与されたものであり、例えば、リンクテキスト２６５−１が選択された場合、テキスト「ＸＸ」に付与されたキーワードＩＤと同一のキーワードＩＤを有し、テキストの発生順（すなわち、タイムコード１６６に記載される時刻が早い順）の連続番号が次の番号であるキーワードリンク情報が付与されたテキストデータ、および、対応するサムネイル画像が検出されて、サムネイル画像／テキストデータ表示画面２５１に表示される。また、リンクテキスト２６５−２が選択された場合、テキスト「ＹＹ」に付与されたキーワードＩＤと同一のキーワードＩＤを有し、テキストの発生順の連続番号が次の番号であるキーワードリンク情報が付与されたテキストデータ、および、対応するサムネイル画像が検出されて、サムネイル画像／テキストデータ表示画面２５１に表示される。リンクテキスト２６５−３またはリンクテキスト２６５−４が選択された場合、テキスト「井松」に付与されたキーワードＩＤと同一のキーワードＩＤを有し、テキストの発生順の連続番号が次の番号であるキーワードリンク情報が付与されたテキストデータ、および、対応するサムネイル画像が検出されて、サムネイル画像／テキストデータ表示画面２５１に表示される。
【０２０２】
例えば、リンクテキスト２６５−３が選択されたとき、同一のキーワードＩＤを有し、次に発生するキーワードリンク情報が付与されたテキストを含むテキスト表示エリアは、テキスト表示エリア２６３−４であるので、このテキストデータに対応するサムネイル画像が表示されるサムネイル画像表示エリア２６２−４が選択された状態となり、動画像表示エリア２６１には、サムネイル画像表示エリア２６２−４に表示されているサムネイル画像に対応するシーンからの動画像が表示される。また、リンクテキスト２６５−１、リンクテキスト２６５−２、または、リンクテキスト２６５−４が選択されたとき、同一のキーワードＩＤを有し、次に発生するキーワードリンク情報が付与されたテキストは、現在、サムネイル画像／テキストデータ表示画面２５１には表示されていないので、サムネイル画面表示制御部８０により、同一のキーワードＩＤを有し、次に発生するキーワードリンク情報が付与されたテキストと、対応するサムネイル画像が検索され、サムネイル画像／テキストデータ表示画面２５１に表示される。
【０２０３】
第１の表示形式が用いられた場合、ユーザは、選択したサムネイル画像から再生処理が始まった場合の動画像を参照しながら、番組の内容を理解したり、再生開始位置とするサムネイル画像を選択することができる。また、サムネイル画像に付随して、サムネイル画像に対応する再生位置における表示選択字幕から生成されたテキストデータが表示されるので、ユーザは、画像情報のみからでは得られない情報を、テキストデータを基に得ることができる。すなわち、ユーザは、サムネイル画像のみを用いた情報の選択と比較して、より多くの情報の提供を受けるので、録画データを再生させることなく、録画された番組の内容を理解することができ、更に、所望の再生開始位置を容易に選択することができる。
【０２０４】
なお、図２０においては、サムネイル画像およびテキストデータを、それぞれ４つずつ表示するものとして図示したが、動画像表示エリア２６１とともに表示されるサムネイル画像およびテキストデータの数は、４つ以外のいかなる数値でもよいことはもちろんである。
【０２０５】
次に、図２１を用いて、サムネイル画像／テキストデータ表示画面２５１全体に、１枚のサムネイル画像と、対応するテキストデータが表示されるようになされている、サムネイル画面の第２の表示形式について説明する。
【０２０６】
サムネイル画像／テキストデータ表示画面２５１は、サムネイル画像が表示されるサムネイル画像表示エリア２６２と、サムネイル画像表示エリア２６２内に重畳されて表示される、サムネイル画像に対応するテキストが表示されるテキスト表示エリア２６３、現在表示されているサムネイル画像およびテキストよりも、時間的に早いシーンに対応するサムネイル画像およびテキストの表示を指令するための矢印ボタン２６４−１、並びに、現在表示されているサムネイル画像およびテキストよりも、時間的に後のシーンに対応するサムネイル画像およびテキストの表示を指令するための矢印ボタン２６４−２を含む。また、図２０を用いて説明した場合と同様に、テキスト表示エリア２６３に表示されるテキストのうち、キーワードリンク情報を有するリンクテキスト２６５は、他のテキストと異なる色で表示されている。
【０２０７】
ユーザは、適宜、矢印ボタン２６４−１または矢印ボタン２６４−２に対して操作入力を行うことにより、表示されるサムネイル画像とテキストデータを変更させ、サムネイル画像およびテキストデータを参照することにより、録画データを再生させることなく、録画された番組の内容を理解することができ、更に、所望の再生開始位置に対応するサムネイル画像、または、テキストを選択して、確定する処理を行うことにより、検索キーとなるテキストを入力することなく、ユーザが所望する再生開始位置を検索して、再生開始を指令することが可能となる。
【０２０８】
また、リンクテキスト２６５が選択された場合、テキスト「井松」に付与されるキーワードＩＤと同一のキーワードＩＤを有し、次に発生するキーワードリンク情報が付与されたリンクテキストが含まれているテキストデータが、テキスト表示エリア２６３に表示されるとともに、そのテキストデータに対応するサムネイル画像が、サムネイル画像表示エリア２６２に表示される。
【０２０９】
第２の表示形式が用いられた場合、ユーザは、表示画面全体にサムネイル画像を表示させることができるので、詳細にサムネイル画像を観察することができる。また、ユーザ自身がテキストを読むために必要とする時間や、画像を参照するために必要な時間によって、スライドショーのように次々と表示画面を変更していくことができるので、興味のありそうな部分は、ゆっくり見たり、興味のない部分は、次々と画面を変えていくなど、ユーザが所望の再生開始位置を検索するためのサムネイル画像およびテキストの表示速度の自由度が高くなる。また、サムネイル画像に付随して、サムネイル画像に対応する再生位置における表示選択字幕から生成されたテキストデータが表示されるので、ユーザは、画像情報のみからでは得られない情報を、テキストデータを基に得ることができる。すなわち、ユーザは、サムネイル画像のみを用いた情報の選択と比較して、より多くの情報の提供を受けるので、録画データを再生させることなく、録画された番組の内容を理解することができ、更に、所望の再生開始位置を容易に選択することができる。
【０２１０】
次に、図２２を用いて、３つのサムネイル画像と、それらに対応するテキストデータが表示されるようになされている、サムネイル画面の第３の表示形式について説明する。
【０２１１】
サムネイル画像／テキストデータ表示画面２５１は、サムネイル画像が表示されるサムネイル画像表示エリア２６２−１乃至サムネイル画像表示エリア２６２−３と、サムネイル画像に対応するテキストが表示されるテキスト表示エリア２６３−１乃至テキスト表示エリア２６３−３、現在表示されているサムネイル画像およびテキストよりも、時間的に早いシーンに対応するサムネイル画像およびテキストの表示を指令するための矢印ボタン２６４−１、並びに、現在表示されているサムネイル画像およびテキストよりも、時間的に後のシーンに対応するサムネイル画像およびテキストの表示を指令するための矢印ボタン２６４−２により構成されている。
【０２１２】
サムネイル画像表示エリア２６２−１乃至サムネイル画像表示エリア２６２−３は、表示画面内の左側に、時間的に早いものが上になるように配置されて表示され、テキスト表示エリア２６３−１乃至テキスト表示エリア２６３−３は、対応するサムネイル画像の右側に配置されて表示される。そして、矢印ボタン２６４−１は、サムネイル画像表示エリア２６２−１の画面上上方に配置されて表示され、矢印ボタン２６４−２は、サムネイル画像表示エリア２６２−３の画面上下方に配置されて表示される。また、図２０および図２１を用いて説明した場合と同様に、テキスト表示エリア２６３−１乃至テキスト表示エリア２６３−３に表示されるテキストのうち、キーワードリンク情報を有するリンクテキスト２６５は、他のテキストと異なる色で表示される。
【０２１３】
第３の表示形式が用いられた場合、ユーザは、ある程度の大きさのサムネイル画像を観察することができるとともに、第２の表示形式が用いられた場合と比較して、数多くのサムネイル画像およびテキストを１画面中に表示させることができるので、所定の時間の番組の内容を理解するために、または、所望の再生開始位置を選択するために、矢印ボタン２６４−１または矢印ボタン２６４−２を操作する回数を減らすことができ、迅速に番組の内容を理解したり、所望のシーンを探すことができる。また、サムネイル画像に付随して、サムネイル画像に対応する再生位置における表示選択字幕から生成されたテキストデータが表示されるので、ユーザは、画像情報のみからでは得られない情報を、テキストデータを基に得ることができる。すなわち、ユーザは、サムネイル画像のみを用いた情報の選択と比較して、より多くの情報の提供を受けることができるので、録画データを再生させることなく、録画された番組の内容を理解することができ、更に、所望の再生開始位置を容易に選択することができる。
【０２１４】
次に、図２３を用いて、６つのサムネイル画像と、それらに対応するテキストデータが表示されるようになされている、サムネイル画面の第４の表示形式について説明する。
【０２１５】
サムネイル画像／テキストデータ表示画面２５１は、サムネイル画像が表示されるサムネイル画像表示エリア２６２−１乃至サムネイル画像表示エリア２６２−６と、サムネイル画像に対応するテキストが表示されるテキスト表示エリア２６３−１乃至テキスト表示エリア２６３−６、現在表示されているサムネイル画像およびテキストよりも、時間的に早いシーンに対応するサムネイル画像およびテキストの表示を指令するための矢印ボタン２６４−１、並びに、現在表示されているサムネイル画像およびテキストよりも、時間的に後のシーンに対応するサムネイル画像およびテキストの表示を指令するための矢印ボタン２６４−２により構成されている。
【０２１６】
サムネイル画像表示エリア２６２−１乃至サムネイル画像表示エリア２６２−３は、表示画面内の左側に、時間的に早いものが上になるように配置されて表示され、サムネイル画像表示エリア２６２−４乃至サムネイル画像表示エリア２６２−６は、表示画面内の右側に、時間的に早いものが上になるように配置されて表示される。テキスト表示エリア２６３−１乃至テキスト表示エリア２６３−６は、サムネイル画像表示エリア２６２−１乃至サムネイル画像表示エリア２６２−３と、サムネイル画像表示エリア２６２−４乃至サムネイル画像表示エリア２６２−６との間、すなわち、サムネイル画像／テキストデータ表示画面２５１の中央部に、時間的に早いものが上になるように配置されて表示される。そして、矢印ボタン２６４−１は、サムネイル画像表示エリア２６２−１の画面上上方に配置されて表示され、矢印ボタン２６４−２は、サムネイル画像表示エリア２６２−６の画面上下方に配置されて表示される。また、図２０および図２１を用いて説明した場合と同様に、テキスト表示エリア２６３−１乃テキスト表示エリア２６３−６に表示されるテキストのうち、キーワードリンク情報を有するリンクテキスト２６５は、他のテキストと異なる色で表示される。
【０２１７】
第４の表示形式が用いられた場合、サムネイル画像１枚の表示面積は小さくなってしまうが、第３の表示形式が用いられた場合と比較して、数多くのサムネイル画像およびテキストを１画面中に表示させることができるので、ユーザは、所定の時間の番組の内容を理解するために、または、所望の再生開始位置を選択するために、矢印ボタン２６４−１または矢印ボタン２６４−２を操作する回数を更に減らすことができ、更に迅速に番組の内容を理解したり、所望のシーンを探すことができる。また、サムネイル画像に付随して、サムネイル画像に対応する再生位置における表示選択字幕から生成されたテキストデータが表示されるので、ユーザは、画像情報のみからでは得られない情報を、テキストデータを基に得ることができる。すなわち、ユーザは、サムネイル画像のみを用いた情報の選択と比較して、より多くの情報の提供を受けることができるので、録画データを再生させることなく、録画された番組の内容を理解することができ、更に、所望の再生開始位置を容易に選択することができる。
【０２１８】
次に、図２４を用いて、６つのサムネイル画像と、それらに対応するテキストデータが表示されるようになされている、ハイビジョン画面に対応したサムネイル画面の第５の表示形式について説明する。
【０２１９】
サムネイル画像／テキストデータ表示画面２５１は、サムネイル画像が表示されるサムネイル画像表示エリア２６２−１乃至サムネイル画像表示エリア２６２−６と、サムネイル画像に対応するテキストが表示されるテキスト表示エリア２６３−１乃至テキスト表示エリア２６３−６、現在表示されているサムネイル画像およびテキストよりも、時間的に早いシーンに対応するサムネイル画像およびテキストの表示を指令するための矢印ボタン２６４−１、並びに、現在表示されているサムネイル画像およびテキストよりも、時間的に後のシーンに対応するサムネイル画像およびテキストの表示を指令するための矢印ボタン２６４−２により構成されている。
【０２２０】
サムネイル画像表示エリア２６２−１乃至サムネイル画像表示エリア２６２−３は、表示画面内の左側に、時間的に早いものが上になるように配置されて表示され、テキスト表示エリア２６３−１乃至テキスト表示エリア２６３−３は、対応するサムネイル画像の右側に配置されて表示され、サムネイル画像表示エリア２６２−４乃至サムネイル画像表示エリア２６２−６は、テキスト表示エリア２６３−１乃至テキスト表示エリア２６３−３の右側に、時間的に早いものが上になるように配置されて表示され、テキスト表示エリア２６３−４乃至テキスト表示エリア２６３−６は、対応するサムネイル画像の右側に配置されて表示される。矢印ボタン２６４−１は、サムネイル画像表示エリア２６２−１の画面上上方に配置されて表示され、矢印ボタン２６４−２は、サムネイル画像表示エリア２６２−６の画面上下方に配置されて表示される。また、図２０および図２１を用いて説明した場合と同様に、テキスト表示エリア２６３−１乃至テキスト表示エリア２６３−６に表示されるテキストのうち、キーワードリンク情報を有するリンクテキスト２６５は、他のテキストと異なる色で表示される。
【０２２１】
第５の表示形式が用いられた場合、サムネイル画像１枚の表示面積は小さくなってしまうが、第３の表示形式が用いられた場合と比較して、数多くのサムネイル画像およびテキストを１画面中に表示させることができるので、ユーザは、所定の時間の番組の内容を理解するために、または、所望の再生開始位置を選択するために、矢印ボタン２６４−１または矢印ボタン２６４−２を操作する回数を更に減らすことができ、更に迅速に番組の内容を理解したり、所望のシーンを探すことができるとともに、ハイビジョン対応の表示画面に対して、バランスのよいレイアウトで、サムネイル画像およびテキストを表示させるようにすることができる。また、サムネイル画像に付随して、サムネイル画像に対応する再生位置における表示選択字幕から生成されたテキストデータが表示されるので、ユーザは、画像情報のみからでは得られない情報を、テキストデータを基に得ることができる。すなわち、ユーザは、サムネイル画像のみを用いた情報の選択と比較して、より多くの情報の提供を受けることができるので、録画データを再生させることなく、録画された番組の内容を理解することができ、更に、所望の再生開始位置を容易に選択することができる。
【０２２２】
次に、図２５を用いて、９つのサムネイル画像が表示されるようになされている、サムネイル画面の第６の表示形式について説明する。
【０２２３】
サムネイル画像／テキストデータ表示画面２５１は、サムネイル画像が表示されるサムネイル画像表示エリア２６２−１乃至サムネイル画像表示エリア２６２−９、現在表示されているサムネイル画像よりも、時間的に早いシーンに対応するサムネイル画像の表示を指令するための矢印ボタン２６４−１、並びに、現在表示されているサムネイル画像よりも、時間的に後のシーンに対応するサムネイル画像の表示を指令するための矢印ボタン２６４−２により構成されている。
【０２２４】
サムネイル画像表示エリア２６２−１乃至サムネイル画像表示エリア２６２−９は、表示画面内の左側上から、時間的に早いものより、縦と横が３×３となるように、順次配置されて表示され、矢印ボタン２６４−１は、サムネイル画像表示エリア２６２−１の画面上左側に配置されて表示され、矢印ボタン２６４−２は、サムネイル画像表示エリア２６２−９の画面上右側に配置されて表示される。
【０２２５】
第６の表示形式が用いられた場合、テキストデータは表示されなくなってしまうが、１画面に数多くのサムネイル画像を表示させることができるので、ユーザが、テキストデータよりもサムネイル画像を参照することにより、録画されている番組の内容を理解したり、所望の再生開始位置の検索を行うことを好む場合や、例えば、幼い子供など、まだ充分に文字を読むことができないユーザであっても、迅速に番組の内容を理解したり、所望のシーンを探すことができる。
【０２２６】
次に、図２６を用いて、９つのテキストデータが表示されるようになされているサムネイル画面の第７の表示形式について説明する。
【０２２７】
サムネイル画像／テキストデータ表示画面２５１は、テキストデータが表示されるテキスト表示エリア２６３−１乃至テキスト表示エリア２６３−９、現在表示されているテキストよりも、時間的に早いシーンに対応するテキストの表示を指令するための矢印ボタン２６４−１、並びに、現在表示されているテキストよりも、時間的に後のシーンに対応するテキストの表示を指令するための矢印ボタン２６４−２により構成されている。
【０２２８】
テキスト表示エリア２６３−１乃至テキスト表示エリア２６３−９は、時間的に早いものが上になるようにサムネイル画像／テキストデータ表示画面２５１の左側に配置されて表示され、矢印ボタン２６４−１は、テキスト表示エリア２６３−１の画面上上方に配置されて表示され、矢印ボタン２６４−２は、テキスト表示エリア２６３−９の画面上下方に配置されて表示される。また、図２０および図２１を用いて説明した場合と同様に、テキスト表示エリア２６３−１乃至テキスト表示エリア２６３−９に表示されるテキストのうち、キーワードリンク情報を有するリンクテキスト２６５は、他のテキストと異なる色で表示される。
【０２２９】
なお、図２６においては、テキストデータは９行表示されているものとして図示されているが、例えば、文字の大きさやレイアウトなどにより、表示可能なテキストデータの行数は、変更可能であることは言うまでもない。
【０２３０】
第７の表示形式が用いられた場合、サムネイル画像は表示されないが、１画面に数多くのテキストデータを表示させることができるので、サムネイル画像を参照するよりも、テキストデータを参照することにより、確実に録画されている番組の内容を理解したり、所望の再生開始位置を検索することを好むユーザにとっては、迅速に、かつ、確実に番組の内容を理解したり、所望のシーンを探すことができる。
【０２３１】
なお、図２２を用いて説明した場合においては、サムネイル画像およびテキストデータをそれぞれ３つずつ表示させるものとして説明し、図２３および図２４を用いて説明した場合においては、サムネイル画像およびテキストデータをそれぞれ６つずつ表示させるものとして説明し、図２５を用いて説明した場合においては、サムネイル画像を９つ表示するものとして説明し、図２６を用いて説明した場合においては、テキストデータを９つ表示するものとして説明したが、サムネイル画像またはテキストデータの１画面における表示数は、３つ、６つ、９つ以外のいかなる数であってもよいことは、言うまでもない。
【０２３２】
例えば、図２を用いて説明した放送番組が録画されており、ユーザが、その「７時のニュース」のサムネイル画像を、図２３を用いて説明した形式で表示させることを望んだ場合、操作入力部７１は、「７時のニュース」という番組を指定するための操作入力を受けるとともに、「７時のニュース」のサムネイル画面の表示形式を示す操作入力を受け、番組を指定する情報（番組ＩＤ）および、サムネイル画面の表示形式を示す信号を、サムネイル画面表示制御部８０に供給する。
【０２３３】
以下、サムネイル画像表示エリア２６２−１乃至サムネイル画像表示エリア２６２−９を特に区別する必要がない場合、単に、サムネイル画像表示エリア２６２と総称し、テキスト表示エリア２６３−１乃至テキスト表示エリア２６３−９を特に区別する必要がない場合、単にテキスト表示エリア２６３と総称する。
【０２３４】
次に、図２７のフローチャートを参照して、録画装置９において実行されるサムネイル画面表示および検索処理について説明する。
【０２３５】
操作入力部７１は、ステップＳ１８１において、ユーザから、サムネイル画面の表示を希望する番組、すなわち、録画された番組の内容を確認したり、再生開始位置を検索したい番組を指定する入力を受け、ステップＳ１８２において、サムネイル画面の表示スタイルを選択する入力を受け、サムネイル画面表示制御部８０に供給する。
【０２３６】
ステップＳ１８３において、サムネイル画面表示制御部８０は、例えば、図２０を用いて説明したサムネイル画像／テキストデータ表示画面２５１のように、動画像をサムネイル画像とともに表示させる表示スタイルが選択されているか否かを判断する。
【０２３７】
ステップＳ１８３において、動画像をサムネイル画像とともに表示させる表示スタイルが選択されていないと判断された場合、ステップＳ１８４において、サムネイル画面表示制御部８０は、録画データ記憶部７２に記憶されているサムネイルデータファイルのうち、ユーザにより選択された番組に対応するサムネイルデータファイルを読み出し、操作入力部７１から供給されるユーザの操作入力に基づいて、図２１乃至図２６を用いて説明したいずれかの表示スタイルのサムネイル画面データを生成して、出力端子６２−１を介して、表示選択字幕デコーダ８に供給し、テレビジョン受像機２の出力部１３に出力させて、表示させ、処理は、後述するステップＳ１８７に進む。
【０２３８】
ステップＳ１８３において、動画像をサムネイル画像とともに表示させる表示スタイルが選択されていると判断された場合、ステップＳ１８５において、サムネイル画面表示制御部８０は、録画データ記憶部７２に記憶されているサムネイルデータファイルのうち、ユーザにより選択された番組に対応するサムネイルデータファイルを読み出し、操作入力部７１から供給されるユーザの操作入力に基づいて、選択されているサムネイル画像（第１回目の表示であるときは、最初のサムネイル画像などとしてもよい）に関連付けられている開始時刻（タイムコード１６６のそれぞれのテキストに対応する開始時刻と終了時刻のうちの開始時刻、以下、開始時刻（タイムコード）と称する）を抽出する。
【０２３９】
ステップＳ１８６において、サムネイル画面表示制御部８０は、ステップＳ１８５において検出された開始時刻（タイムコード）を基に、録画データ記憶部７２に記憶されている録画データを検索し、例えば、図２０を用いて説明したサムネイル画像／テキストデータ表示画面２５１の動画像表示エリア２６１に、動画像を表示させるようにして、動画像をサムネイル画像とともに表示させる表示スタイルのサムネイル画面データを生成し、出力端子６２−１を介して、表示選択字幕デコーダ８に供給し、テレビジョン受像機２の出力部１３に出力させて、表示させる。
【０２４０】
ステップＳ１８４、または、ステップＳ１８６の処理の終了後、ステップＳ１８７において、サムネイル画面表示制御部８０は、操作入力部７１から供給されるユーザの操作入力に基づいて、サムネイル画像／テキストデータ表示画面２５１のテキスト表示エリア２６３に表示されているキーワード、すなわち、キーワードリンク情報を有するリンクテキスト２６５のうちのいずれかが選択されたか否かを判断する。
【０２４１】
ステップＳ１８７において、テキストのうちのいずれかのキーワード（リンクテキスト２６５）が選択されたと判断された場合、ステップＳ１８８において、サムネイル画面表示制御部８０は、選択されたキーワードに付与されているキーワードリンク情報を参照して、選択されたキーワードに関連付けられた、すなわち、同一のキーワードＩＤを有するテキストデータを含む、次のサムネイルデータを抽出し、サムネイル画像／テキストデータ表示画面２５１に表示させる。
【０２４２】
ステップＳ１８７において、テキストのうちのいずれかのキーワード（リンクテキスト２６５）が選択されていないと判断された場合、または、ステップＳ１８８の処理の終了後、ステップＳ１８９において、サムネイル画面表示制御部８０は、操作入力部７１から供給されるユーザの操作入力に基づいて、例えば、矢印ボタン２６４−１または矢印ボタン２６４−２が操作されることなどにより、サムネイル画像の選択が変更されたか否かを判断する。ステップＳ１８９において、サムネイル画像の選択が変更されたと判断された場合、処理は、ステップＳ１８３に戻り、それ以降の処理が繰り返される。
【０２４３】
すなわち、矢印ボタン２６４−１または矢印ボタン２６４−２が操作されることなどにより、サムネイル画像の選択が変更されて、ステップＳ１８３乃至ステップＳ１８９の処理が繰り返された場合、ユーザは、録画した放送番組を再生させることなく、サムネイル画像とテキストのうちの少なくともいずれかによって、番組の内容を理解することができる。また、ユーザは、自分がサムネイル画像を参照し、テキストを読むペースに合わせて、好きなペースで表示される画面を変更することができる。なお、ここでは、ユーザの操作入力により、画面の表示が変更されるものとして説明しているが、所定の秒数ごとに自動的に表示画面が変更されるものとしても良い。
【０２４４】
ステップＳ１８９において、サムネイル画像の選択が変更されていないと判断された場合、ステップＳ１９０において、サムネイル画面表示制御部８０は、操作入力部７１から供給されるユーザの操作入力に基づいて、サムネイル画面の表示の終了が指令されたか否かを判断する。ステップＳ１９０において、サムネイル画面の表示の終了が指令されたと判断された場合、処理が終了される。
【０２４５】
ステップＳ１９０において、サムネイル画面の表示の終了が指令されていないと判断された場合、ステップＳ１９１において、サムネイル画面表示制御部８０は、操作入力部７１から供給されるユーザの操作入力に基づいて、再生開始位置に対応するサムネイル画像、または、テキストが決定されたか否かを判断する。ステップＳ１９１において、再生開始位置に対応するサムネイル画像、または、テキストが決定されていないと判断された場合、処理は、ステップＳ１８９に戻り、それ以降の処理が繰り返される。
【０２４６】
ステップＳ１９１において、再生開始位置に対応するサムネイル画像、または、テキストが決定されたと判断された場合、ステップＳ１９２において、サムネイル画面表示制御部８０は、決定されたサムネイル画像またはテキストデータに対応する開始時刻（タイムコード）を抽出し、録画データ検索出力部８１に供給する。
【０２４７】
ステップＳ１９３において、録画データ検索出力部８１は、抽出された開始時刻（タイムコード）に基づいて、録画データ記憶部７２に記憶されている録画データから、番組ＩＤで指定される録画データの再生開始位置（開始時刻（タイムコード）に示される時刻であっても、開始時刻（タイムコード）に示される時刻よりも所定の時間だけ前または後の所定の時刻であっても、２つのサムネイル画像に対応する開始時刻（タイムコード）の真ん中となる時刻であってもよい）を検索して、出力端子６２−１および出力端子６２−２を介して、表示選択字幕デコーダ１４に出力して、処理が終了される。
【０２４８】
このような処理により、サムネイルデータを利用して、番組の内容をユーザが簡単に直感的に理解することができる表示画面を表示することができるので、録画データを再生させることなく、録画された番組の内容を理解することができ、更に、ユーザが選択したサムネイル画像、または、テキストデータに対応する開始時刻（タイムコード）が検出され、検出された開始時刻（タイムコード）に基づいて、録画再生の開始位置が検索される。本発明を適用することにより、例えば、録画データに含まれる字幕データに対応するテキストデータを全て検索して、ユーザが入力したテキストデータに対応する録画再生の開始位置が決定される場合と比較して、簡単に、高速に、ユーザが所望する再生開始位置を検索することが可能となる。
【０２４９】
更に、キーワードリンク情報が付与された、キーワードとなるテキストが選択された場合、ユーザに対して、同一、または、関連の深いテキストがそれ以降の時刻に出現したときのサムネイル画像を提示することができるようになされているので、ユーザが、録画されている番組の中で、所望のキーワードに関連する部分をピックアップして理解したり、所望の再生位置を検索する処理を更に簡単にすることができる。
【０２５０】
次に、図２８のフローチャートを参照して、図９および図１０を用いて説明した認証サーバ７が実行する課金処理について説明する。
【０２５１】
ステップＳ２０１において、課金処理部２１０は、課金情報データベース２１１に登録されている情報を参照して、復号鍵を購入したユーザの課金情報を生成する。具体的には、課金処理部２１０は、課金情報データベース２１１に登録されている情報を参照して、ユーザ別に、決算を行う金融機関（例えば、クレジットカード会社、電子マネーのサービス提供元など）ごとに、復号鍵の購入により発生した代金を集計して、課金情報を生成する。
【０２５２】
ステップＳ２０２において、課金処理部２１０は、所定の金融機関などに対する課金処理を実行する。具体的には、課金処理部２１０は、例えば、カード会社などの金融機関が保有する、決済処理を実行する図示しない課金サーバに、インターネット５、または、所定の専用線を介してアクセスし、ステップＳ２０１において生成されたユーザの課金情報を送信する。
【０２５３】
ステップＳ２０３において、課金処理部２１０は、課金情報データベース２１１に登録されている情報を参照して、番組ごとの表示選択字幕データに対応するメタデータを復号するための復号鍵の供給数を算出する。
【０２５４】
ステップＳ２０４において、課金処理部２１０は、ステップＳ２０３の算出結果に基づいて、放送局１ごとに、提供された表示選択字幕データに対応するメタデータを復号するための復号鍵の供給数を算出する。
【０２５５】
ステップＳ２０５において、課金処理部２１０は、ステップＳ２０４の算出結果に基づいて、放送局ごとの支払い金額を算出する。具体的には、課金処理部２１０は、ユーザから得られた復号鍵の対価から、認証サーバ７を保有するサービス提供者が得る利益（放送局１と認証サーバ７を保有するサービス提供者との契約により決められるものであり、所定の金額であっても、復号鍵の対価のうちの何割かであっても良い）を引いた金額を算出し、放送局ごとの支払い金額とする。
【０２５６】
ステップＳ２０６において、課金処理部２１０は、ステップＳ２０５の処理によって算出された支払い金額を基に、それぞれの放送局へ対価を支払う処理を実行し、処理が終了される。具体的には、課金処理部２１０は、放送局１により指定された金融機関（例えば、銀行など）が保有する図示しない課金サーバに、インターネット５、または、所定の専用線を介してアクセスし、ステップＳ２０５において算出された支払い金額を、指定された口座に振り込むために必要な情報を送信する。
【０２５７】
このような処理により、メタデータの復号に用いられる復号鍵の配布に対する対価の課金処理を行うことができる。また、この復号鍵の購入によりユーザから得られた対価のうちの少なくとも一部は、表示選択字幕データを作成した放送局１に支払われるので、表示選択字幕が付加された番組の割合が増えることが予測され、聴覚障害者がより多くの番組を楽しむことができるようになる。
【０２５８】
以上説明した処理においては、ユーザが保有する録画装置９は、インターネット５を介して、メタデータ生成サーバ６により生成された、暗号化されたメタデータをダウンロードし、認証サーバ７から、メタデータを復号するための復号鍵を購入して、メタデータを復号して検索処理に利用するものとして説明したが、メタデータは、表示選択字幕データに対応するテキストデータを基に生成されるので、表示選択字幕デコーダにおいて表示選択字幕データをデコードするとともに、メタデータを作成し、録画装置において、表示選択字幕デコーダで作成されたメタデータを用いて、サムネイルを生成して表示させる処理、および、ユーザが所望する再生開始位置を検索する処理を行うようにしても良い。
【０２５９】
図２９は、表示選択字幕データをデコードするとともに、メタデータを作成することができるようになされている表示選択字幕デコーダ３６１と、表示選択字幕デコーダ３６１で作成されたメタデータを用いて検索処理を行うことができるようになされている録画装置３６２とで構成された、ホームサーバ３５１の構成を示すブロック図である。
【０２６０】
なお、図３における場合と対応する部分には同一の符号を付してあり、その説明は適宜省略する。
【０２６１】
すなわち、図２９の表示選択字幕デコーダ３６１は、表示選択字幕データデコーダ３５によりデコードされた表示選択字幕データからメタデータを作成するために必要な、表示選択字幕データ解析部３７１、タイムコード対応付け処理部３７２、タイマ３７３、メタデータ生成部３７４、および、作成されたメタデータを録画装置３６２に出力するための出力端子３６１が新たに備えられている以外は、図３における表示選択字幕デコーダ８と基本的に同様の構成を有するものであり、録画装置３６２は、作成されたメタデータの選択を受け、メタデータ生成部７８に供給する入力端子３８１が新たに備えられ、ネットワークインターフェース７３、暗号化メタデータ記憶部７５、復号鍵記憶部７６、および復号処理部７７が省略されている以外は、図３における録画装置９と基本的に同様の構成を有するものである。
【０２６２】
表示選択字幕データ解析部３７１は、表示選択字幕データデコーダ３５から供給された、表示選択字幕データに対応するテキストデータを、適切な長さのテキスト群に分割（例えば、一度に表示されるテキストを１つのテキスト群として分割）し、分割されたテキスト群をタイムコード対応付け処理部３７２に供給する。
【０２６３】
タイムコード対応付け処理部３７２は、タイマ３７３を参照して、供給されたテキスト群のそれぞれに対して、テキストの開始位置および終了位置に対応するタイムコードを対応付ける。タイムコード対応付け処理部３７２は、リアルタイムで（すなわち、番組の放送時刻に）放送信号が取得された場合、タイマ３７３が示す現在時刻に基づいて、タイムコードをテキストデータに対応付けるものとする。
【０２６４】
メタデータ生成部３７４は、タイムコード対応付け処理部３７２から供給されたタイムコードが対応付けられたテキストデータに、番組ＩＤ情報抽出部３９から供給された番組ＩＤ情報を対応付けてメタデータを生成し、出力端子３６１を介して、録画装置３６２に供給する。
【０２６５】
なお、タイマ３７３は、絶対時刻がカウント可能なものであれば、タイマ４０と同一であっても、異なるタイマであっても良いことは言うまでもない。
【０２６６】
図２９の表示選択字幕デコーダ３６１と、録画装置３６２とが用いられている場合、図１のメタデータ作成サーバ６および認証サーバ７の処理は省略される。したがって、図２９の表示選択字幕デコーダ３６１と、録画装置３６２とが用いられているシステムにおいては、図１３を用いて説明したメタデータ作成処理１、図１４を用いて説明したユーザ登録処理、図１５を用いて説明したメタデータ供給処理、および、図１６を用いて説明した復号鍵供給制御処理が省略され、図１１を用いて説明した表示選択字幕デコーダの処理１に代わって、図３０を用いて後述する表示選択字幕デコーダの処理２が実行され、図１７を用いて説明したメタデータ記憶処理１に代わって、図３２を用いて後述するメタデータ記憶処理２が実行される。
【０２６７】
また、録画装置３６２においては、図１９を用いて説明したサムネイル生成処理、並びに、図２７を用いて説明したサムネイル画面表示および検索処理と同様の処理が実行されるので、その説明は省略する。
【０２６８】
次に、図３０のフローチャートを参照して、図２９の表示選択字幕デコーダ３６１が実行する表示選択字幕デコーダの処理２について説明する。
【０２６９】
ステップＳ２４１乃至ステップＳ２４６において、図１１を用いて説明したステップＳ１乃至ステップＳ６と同様の処理が実行される。
【０２７０】
すなわち、映像信号デコーダ３１および音声信号デコーダ３４において、番組放送信号（映像信号および音声信号）の入力を受けて、入力された番組放送信号がデコードされ、ユーザにより番組の視聴が指令されているか否かが判断される。番組の視聴が指令されていると判断された場合、表示選択字幕の表示が指令されているか否かが判断され、表示選択字幕の表示が指令されていると判断された場合、表示選択字幕データデコーダ３５で、表示選択字幕データがデコードされて、映像データに重畳されて、テレビジョン受像機２に出力される。表示選択字幕の表示が指令されていないと判断された場合、表示選択字幕データはデコードされず、デコードされた映像データおよび音声データが、テレビジョン受像機２に出力される。
【０２７１】
そして、ステップＳ２４６において、番組の録画が指令されているか否かが判断される。ステップＳ２４６において、番組の録画が指令されていないと判断された場合、処理が終了される。
【０２７２】
ステップＳ２４６において、番組の録画が指令されたと判断された場合、ステップＳ２４７において、上述した録画データ作成処理が実行される。
【０２７３】
ステップＳ２４８において、出力信号生成部３３は、ステップＳ２４７の処理により作成された録画データを、出力端子２３−１および出力端子２３−２を介して、録画装置３６２に供給する。
【０２７４】
ステップＳ２４９において、図３１を用いて後述するメタデータ作成処理２が実行される。
【０２７５】
ステップＳ２５０において、メタデータ生成部３７４は、ステップＳ２４９の処理によって作成されたメタデータを、出力端子３６１を介して録画装置３６２に出力し、処理が終了される。
【０２７６】
次に、図３１のフローチャートを参照して、図３０のステップＳ２４９において実行される、メタデータ作成処理２について説明する。
【０２７７】
ステップＳ２６１において、番組ＩＤ情報抽出部３９は、メモリ３２に保存された映像データに含まれる番組管理情報から、番組を認識するための番組固有の情報である番組ＩＤを抽出し、番組ＩＤをメタデータ生成部３７４に供給する
【０２７８】
ステップＳ２６２において、表示選択字幕データデコーダ３５は、メモリ３２に保存された映像データを取得し、取得された映像データから表示選択字幕データを抽出してデコードし、表示選択字幕データ解析部３７１に供給する。
【０２７９】
ステップＳ２６３において、表示選択字幕データ解析部３７１は、表示選択字幕データに対応するテキストデータを解析し、所定の長さ（例えば、表示が選択された場合に一度に表示される所定の文字数や、ユーザが所定の時間で読解することが可能な程度の長さ）のテキスト群に分解して、タイムコード対応付け処理部３７２に供給する。
【０２８０】
ステップＳ２６４において、タイムコード対応付け処理部３７２は、供給されたテキスト群に対して、タイマ３７３を参照して、開始時刻と終了時刻のタイムコードをそれぞれ対応付け、メタデータ生成部３７４に供給する。
【０２８１】
ステップＳ２６５において、メタデータ生成部３７４は、タイムコード対応付け処理部３７２から供給されたタイムコード付のテキストデータ群に、番組ＩＤ情報抽出部３９から供給された番組ＩＤを対応付けて、図７を用いて説明したメタデータ１６１を作成して、出力端子３６１を介して、録画装置３６２に供給して、処理が終了される。
【０２８２】
このような処理により、表示選択字幕デコーダ３６１は、ユーザの操作入力に基づいて、受信された放送信号を視聴するときに、表示選択字幕をデコードして映像に重畳させて表示させたり、表示選択字幕に対応するテキストデータを検索処理に用いることが可能な録画データを生成して、録画装置３６２に供給して録画させるのみならず、デコードされた表示選択字幕に対応するテキストデータを用いて、メタデータを生成して、録画装置３６２に供給することが可能となる。そして、録画装置３６２は、表示選択字幕デコーダ３６１からメタデータの供給を受けて、メタデータ記憶部７８に記憶させ、図３を用いて説明した録画装置９と同様にして、サムネイル作成処理、並びに、サムネイル画面表示および検索処理を実行する。
【０２８３】
なお、映像データに番組管理情報が含まれていない場合、番組ＩＤ情報抽出部３９は、時刻情報を取得して、番組ＩＤ情報を生成することができるようにしても良い。
【０２８４】
次に、図３２を参照して、録画装置３６２で実行されるメタデータ記憶処理２について説明する。
【０２８５】
ステップＳ２８１において、入力端子３８１は、表示選択字幕デコーダ３６１で生成されたメタデータを取得して、メタデータ記憶部７８に供給する。
【０２８６】
ステップＳ２８２において、メタデータ記憶部７８は、供給されたメタデータを記憶して、処理が終了される。
【０２８７】
このようにして録画装置３６２に記憶されたメタデータは、録画装置３６２において、図１９を用いて説明したサムネイル生成処理、並びに、図２７を用いて説明したサムネイル画面表示および検索処理が実行される場合に利用される。
【０２８８】
また、表示選択字幕デコーダにおいて作成されたメタデータを暗号化して録画装置に供給することにより、認証サーバ７による復号鍵の配布と課金処理を実行させるようにすることができる。
【０２８９】
図３３は、表示選択字幕データをデコードするとともに、メタデータを作成して暗号化することができるようになされている表示選択字幕デコーダ４０１と、表示選択字幕デコーダ４０１で作成されたメタデータを用いて検索処理を行うことができるようになされている録画装置４０２とで構成された、ホームサーバ３９１の構成を示すブロック図である。
【０２９０】
なお、図３、または、図２９における場合と対応する部分には同一の符号を付してあり、その説明は適宜省略する。
【０２９１】
すなわち、図３３の表示選択字幕デコーダ４０１は、番組ＩＤ情報抽出部４１１から供給された情報を用いて暗号鍵を生成して、メタデータ生成部３７４により作成されたメタデータを暗号化する暗号化処理部４１２が新たに備えられ、番組ＩＤ情報抽出部３９に代わって、番組管理情報から、番組を固有に区別可能な番組ＩＤ情報を抽出し、更に、番組管理情報に含まれる情報のうち、暗号鍵を生成するために利用される情報を抽出して、暗号化処理部４１２に供給する番組ＩＤ情報抽出部４１１が設けられている以外は、図２９における表示選択字幕デコーダ３６１と基本的に同様の構成を有するものであり、録画装置４０２は、入力端子３８１から供給された暗号化メタデータが暗号化メタデータ記憶部７５に記憶される以外は、図３における録画装置９と基本的に同様の構成を有するものである。
【０２９２】
図３３の表示選択字幕デコーダ４０１と、録画装置４０２とが用いられている場合、図１のメタデータ作成サーバ６の処理は省略される。したがって、図３３の表示選択字幕デコーダ４０１と、録画装置４０２とが用いられているシステムにおいては、図１３を用いて説明したメタデータ作成処理１、および、図１５を用いて説明したメタデータ供給処理が省略され、図３０を用いて説明した表示選択字幕デコーダの処理２が実行されるが、そのステップＳ２４９において実行されたメタデータ作成処理２に代わって、図３４を用いて後述するメタデータ作成処理３が実行され、図１７または図３２を用いて説明したメタデータ記憶処理に代わって、図３５を用いて後述するメタデータ記憶処理３が実行される。
【０２９３】
また、認証サーバ７においては、図１４を用いて説明したユーザ登録処理、および、図１６を用いて説明した復号鍵供給制御処理が実行され、録画装置４０２においては、図１９を用いて説明したサムネイル生成処理、並びに、図２７を用いて説明したサムネイル画面表示および検索処理と同様の処理が実行されるので、その説明は省略する。
【０２９４】
図３４のフローチャートを参照して、図３０のステップＳ２４９において実行される、メタデータ作成処理３について説明する。
【０２９５】
ステップＳ３０１において、番組ＩＤ情報抽出部４１１は、メモリ３２に保存された映像データに含まれる番組管理情報から、番組を認識するための番組固有の情報である番組ＩＤと、暗号鍵を作成するための情報（認証サーバ７の復号鍵記憶部２０９に保存される復号鍵に対応する暗号鍵を、番組ごとに区別して生成するために利用することが可能な情報であれば、例えば、番組ＩＤでもかまわない）を抽出し、番組ＩＤをメタデータ生成部３７４に、暗号化に利用する情報を暗号化処理部４１２に供給する
【０２９６】
ステップＳ３０２において、表示選択字幕データデコーダ３５は、メモリ３２に保存された映像データを取得し、取得された映像データから表示選択字幕データを抽出してデコードし、表示選択字幕データ解析部３７１に供給する。
【０２９７】
ステップＳ３０３において、表示選択字幕データ解析部３７１は、表示選択字幕データに対応するテキストデータを解析し、所定の長さ（例えば、表示が選択された場合に一度に表示される所定の文字数や、ユーザが所定の時間で読解することが可能な程度の長さ）のテキスト群に分解して、タイムコード対応付け処理部３７２に供給する。
【０２９８】
ステップＳ３０４において、タイムコード対応付け処理部３７２は、供給されたテキスト群に対して、タイマ３７３を参照して、開始時刻と終了時刻のタイムコードをそれぞれ対応付け、メタデータ生成部３７４に供給する。
【０２９９】
ステップＳ３０５において、メタデータ生成部３７４は、タイムコード対応付け処理部３７２から供給されたタイムコード付のテキストデータ群に、番組ＩＤ情報抽出部３９から供給された番組ＩＤを対応付けて、図７を用いて説明したメタデータ１６１を作成して、暗号化処理部４１２に供給する。
【０３００】
ステップＳ３０６において、暗号化処理部４１２は、番組ＩＤ情報抽出部４１１から供給された暗号化に利用する情報を基に、認証サーバ７の復号鍵記憶部２０９に保存される復号鍵に対応する暗号鍵を作成する。
【０３０１】
ステップＳ３０７において、暗号化処理部４１２は、メタデータ生成部３７４から供給されたメタデータ１６１を、ステップＳ３０６の処理により生成された暗号鍵で暗号化し、出力端子３６１を介して、録画装置４０２に供給して、処理が終了される。
【０３０２】
このような処理により、表示選択字幕デコーダ４０１は、ユーザの操作入力に基づいて、受信された放送信号を視聴するときに、表示選択字幕をデコードして映像に重畳させて表示させたり、表示選択字幕に対応するテキストデータを検索処理に用いることが可能な録画データを生成して、録画装置４０２に供給して録画させるのみならず、デコードされた表示選択字幕に対応するテキストデータを用いて、メタデータを生成して、暗号化を施して、録画装置４０２に供給することが可能となる。そして、録画装置４０２は、表示選択字幕デコーダ４０１から暗号化されたメタデータの供給を受けて、図３５を用いて後述する処理により、暗号化されたメタデータを復号してメタデータ記憶部７８に記憶させ、図３を用いて説明した録画装置９と同様にして、サムネイル作成処理、並びに、サムネイル画面表示および検索処理を実行する。
【０３０３】
なお、映像データに番組管理情報が含まれていない場合、番組ＩＤ情報抽出部４１１は、時刻情報を取得して、番組ＩＤ情報を生成することができるようにしても良い。
【０３０４】
次に、図３５のフローチャートを参照して、図３３の録画装置４０２において実行される、メタデータ記憶処理３について説明する。
【０３０５】
ステップＳ３２１において、入力端子３８１は、表示選択字幕デコーダ４０１で生成されたメタデータを取得して、暗号化メタデータ記憶部７５に供給する。なお、ステップＳ３２１の処理は、後述するステップＳ３２９が実行される前であれば、いかなるタイミングで実行されても良い。
【０３０６】
ステップＳ３２２乃至ステップＳ３３１において、図１７を用いて説明したステップＳ１４２乃至ステップＳ１５１と同様の処理が実行されて、処理が終了される。
【０３０７】
すなわち、インターネット５において公開されている、ユーザがメタデータを復号するための復号鍵の購入を要求するためのウェブページにアクセスして、メタデータの利用を希望する番組を指定する情報、すなわち、番組ＩＤで指定される、暗号化されたメタデータを復号するための復号鍵の購入を要求する信号と、例えば、ユーザＩＤなどの認証処理に必要な情報が、インターネット５を介して、認証サーバ７に送信され、認証サーバ７から供給される信号を基に、正しく認証されたか否かが判断される。正しく認証されたと判断された場合、決済処理に必要な情報が、認証サーバ７に送信され、正しく決済が終了したか否かが判断される。正しく決済が終了したと判断された場合、指定された番組ＩＤに対応する復号鍵が認証サーバ７から送信され、復号鍵記憶部７６に記憶され、この復号鍵が用いられて、暗号化メタデータ記憶部７５に記憶されている暗号化されたメタデータが復号され、メタデータ記憶部７８に、復号済みのメタデータが記憶される。そして、正しく認証されなかったと判断された場合、または、正しく決済が終了しなかったと判断された場合、処理が正しく終了されなかったことを示すエラーメッセージが受信されて、表示部７４に表示され、処理が終了される。
【０３０８】
このような処理により、暗号化されたメタデータが表示選択字幕デコーダ４０１から供給され、メタデータを復号するための復号鍵の購入のための処理が実行されて認証サーバ７から取得されるので、表示選択字幕デコーダ４０１により生成されて暗号化されたメタデータが復号されて、録画装置４０２の内部に記憶され、図１９を用いて説明したサムネイル生成処理、並びに、図２７を用いて説明したサムネイル画面表示および検索処理が実行される場合に利用される。
【０３０９】
以上説明した処理により、表示選択字幕データを用いて、サムネイル画像および対応するテキストデータにより構成されるサムネイルデータが生成され、１番組分のサムネイルデータと番組ＩＤを有するサムネイルデータファイルが生成されて、サムネイル画像／テキストデータ表示画面２５１の表示が制御される。そして、ユーザは、サムネイル画像／テキストデータ表示画面２５１を参照することにより、録画した番組を再生することなく、その内容を、簡単に、直感的に理解することができ、更に、サムネイル画像／テキストデータ表示画面２５１を参照したユーザが、所望のサムネイル画像、または、テキストデータを選択し、確定することにより、ユーザの所望する録画データの再生位置を検索することが可能となる。また、検索処理に利用されるメタデータを復号するための復号鍵を認証サーバ７により有料でユーザに配布するようにすることにより、放送局に対して、表示選択字幕データの作成に対する対価を支払うようにすることができるので、産業の発展に貢献可能であるのみならず、字幕データが放送信号に添付される割合を向上することにつながり、聴覚障害者にとっても非常に有益となる。
【０３１０】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３１１】
この記録媒体は、図５または図９に示すように、コンピュータとは別に、ユーザにプログラムを提供するために配布される、プログラムが記録されている磁気ディスク１２１（フレキシブルディスクを含む）、光ディスク１２２（CD-ROM（Compact Disc-Read Only Memory），ＤＶＤ（Digital Versatile Disc）を含む）、光磁気ディスク１２３（ＭＤ（Mini-Disc)（商標）を含む）、もしくは半導体メモリ１２４などよりなるパッケージメディアなどにより構成される。
【０３１２】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３１３】
なお、本明細書において、システムとは、複数の装置により構成される装置全体を表すものである。
【０３１４】
また、本明細書において、複数の装置により構成されるシステムの一部、または、全部が実行する処理が、同一の情報処理装置の処理によって実現される場合であっても、または、本明細書において、１つの装置が実行する処理が、複数の情報処理装置の処理によって実現される場合であっても、本発明は適用可能であることは言うまでもない。
【図面の簡単な説明】
【０３１５】
【図１】本発明を適用した情報処理システムの構成について説明するための図である。
【図２】図１の放送局から放送される放送信号について説明するための図である。
【図３】図１の表示選択字幕デコーダおよび録画装置について説明するためのブロック図である。
【図４】図３の表示選択字幕デコーダによって生成される録画データについて説明するための図である。
【図５】図１のメタデータ作成サーバの構成について説明するためのブロック図である。
【図６】図５のメタデータ作成サーバが実行する処理について説明するための機能ブロック図である。
【図７】メタデータ作成サーバにより作成されるメタデータについて説明するためのブロック図である。
【図８】メタデータに含まれるキーワードリンク情報について説明するためのブロック図である。
【図９】図１の認証サーバの構成について説明するためのブロック図である。
【図１０】図９の認証サーバが実行する処理について説明するための機能ブロック図である。
【図１１】表示選択字幕デコーダの処理１について説明するためのフローチャートである。
【図１２】録画データ作成処理について説明するためのフローチャートである。
【図１３】メタデータ作成処理１について説明するためのフローチャートである。
【図１４】ユーザ登録処理について説明するためのフローチャートである。
【図１５】メタデータ供給処理について説明するためのフローチャートである。
【図１６】復号鍵供給制御処理について説明するためのフローチャートである。
【図１７】メタデータ記憶処理１について説明するためのフローチャートである。
【図１８】メタデータ取得処理について説明するためのフローチャートである。
【図１９】サムネイル生成処理について説明するためのフローチャートである。
【図２０】サムネイル生成処理において作成されたサムネイル画像およびテキストデータを表示する表示画面について説明するための図である。
【図２１】サムネイル生成処理において作成されたサムネイル画像およびテキストデータを表示する表示画面について説明するための図である。
【図２２】サムネイル生成処理において作成されたサムネイル画像およびテキストデータを表示する表示画面について説明するための図である。
【図２３】サムネイル生成処理において作成されたサムネイル画像およびテキストデータを表示する表示画面について説明するための図である。
【図２４】サムネイル生成処理において作成されたサムネイル画像およびテキストデータを表示する表示画面について説明するための図である。
【図２５】サムネイル生成処理において作成されたサムネイル画像を表示する表示画面について説明するための図である。
【図２６】サムネイル生成処理において作成されたテキストデータを表示する表示画面について説明するための図である。
【図２７】サムネイル画面表示および検索処理について説明するためのフローチャートである。
【図２８】課金処理について説明するためのフローチャートである。
【図２９】表示選択字幕デコーダおよび録画装置の異なる構成について説明するためのブロック図である。
【図３０】表示選択字幕デコーダの処理２について説明するためのフローチャートである。
【図３１】メタデータ作成処理２について説明するためのフローチャートである。
【図３２】メタデータ記憶処理２について説明するためのフローチャートである。
【図３３】表示選択字幕デコーダおよび録画装置の異なる構成について説明するためのブロック図である。
【図３４】メタデータ作成処理３について説明するためのフローチャートである。
【図３５】メタデータ記憶処理３について説明するためのフローチャートである。
【符号の説明】
【０３１６】
１  放送局
２  テレビジョン受像機
３  ホームサーバ
５  インターネット
６  メタデータ作成サーバ
７  認証サーバ
８  表示選択字幕デコーダ
９  録画装置
１５  映像データ
１６  音声データ
１７  表示選択字幕データ
２１  入力端子
３３  出力信号生成部
３５  表示選択字幕データデコーダ
３６  ＯＳＤ
３７  合成処理部
３９  番組ＩＤ情報抽出部
４０  タイマ
４１  操作入力部
７１  操作入力部
７２  録画データ記憶部
７３  ネットワークインターフェース
７７  復号処理部
７８  メタデータ記憶部
７９  サムネイル生成部
８０  サムネイル画面表示制御部
８１  録画データ検索出力部
９５  録画開始時刻情報
１４１  放送データ取得部
１４３  番組ＩＤ情報抽出部
１４４  メタデータ生成部
１４５  表示選択字幕データデコーダ
１４７  タイムコード対応付け処理部
１４９  暗号化処理部
１５２  メタデータ供給制御部
１６１  メタデータ
１６５  テキストデータ
１６６  タイムコード
１６７  番組ＩＤ
２０４  操作入力情報取得部
２０５  ユーザ情報登録処理部
２０６  ユーザ情報データベース
２０７  認証処理部
２０８  鍵供給処理部
２１０  課金処理部
２１１  課金情報データベース
２５１  サムネイル画像／テキストデータ表示画面
２６１  動画像表示エリア
２６２  サムネイル画像表示エリア
２６３  テキスト表示エリア
２６４  矢印ボタン
２６５  リンクテキスト
３５１  ホームサーバ
３６１  表示選択字幕デコーダ
３６２  録画装置
３７２  タイムコード対応付け処理部
３７４  メタデータ生成部
３９１  ホームサーバ
４０１  表示選択字幕デコーダ
４０２  録画装置
４１２  暗号化処理部
【図１】
2005303742.tif 000003
【図２】
2005303742.tif 000004
【図３】
2005303742.tif 000005
【図４】
2005303742.tif 000006
【図５】
2005303742.tif 000007
【図６】
2005303742.tif 000008
【図７】
2005303742.tif 000009
【図８】
2005303742.tif 000010
【図９】
2005303742.tif 000011
【図１０】
2005303742.tif 000012
【図１１】
2005303742.tif 000013
【図１２】
2005303742.tif 000014
【図１３】
2005303742.tif 000015
【図１４】
2005303742.tif 000016
【図１５】
2005303742.tif 000017
【図１６】
2005303742.tif 000018
【図１７】
2005303742.tif 000019
【図１８】
2005303742.tif 000020
【図１９】
2005303742.tif 000021
【図２０】
2005303742.tif 000022
【図２１】
2005303742.tif 000023
【図２２】
2005303742.tif 000024
【図２３】
2005303742.tif 000025
【図２４】
2005303742.tif 000026
【図２５】
2005303742.tif 000027
【図２６】
2005303742.tif 000028
【図２７】
2005303742.tif 000029
【図２８】
2005303742.tif 000030
【図２９】
2005303742.tif 000031
【図３０】
2005303742.tif 000032
【図３１】
2005303742.tif 000033
【図３２】
2005303742.tif 000034
【図３３】
2005303742.tif 000035
【図３４】
2005303742.tif 000036
【図３５】
2005303742.tif 000037